(57)【要約】      （修正有）【課題】径を小さくすることができ、長さを短くすることが可能なノック式筆記具を提供する。【解決手段】出没機構が、先端縁から後方に延びる切欠部が形成された軸筒２の内面に沿って伸びるカム部を有する内筒１０と、基部、基部から先端側に軸筒２の内面に沿って軸方向に延びる複数のカム柱、及び、カム柱の先端側に接続され、筆記部材の後端部を内側に保持する円環状の保持部、を有し、基部が内筒内に配置された回転子１２と、回転子１２を後端側へ付勢するスプリング１４と、内筒１０内に配置され、回転子１２に先端方向へ押圧力及び軸回りの回転力を付与することができるノック部材１６と、を有し、ノック部材１６により回転子１２が回転され、カム柱が切欠部に収容された状態と、カム柱が切欠部から離脱した状態とを切り替えることにより、回転子１２に保持されたリフィル部材４の筆先が出没する。【選択図】図２
2019155908.tif 000002
【特許請求の範囲】
【請求項１】
先端開口及び後端開口を有する軸筒と、軸筒内に収容された筆記部材と、前記筆記部材の先端部を前記軸筒の先端開口から出没させる出没機構と、を備えたノック式筆記具であって、
前記出没機構は、
前記軸筒内の後端部に取り付けられ、先端縁から後方に延びる複数の切欠部が形成された前記軸筒の内面に沿って伸びるカム部を有する内筒と、
基部、前記基部から先端側に前記軸筒の内面に沿って軸方向に延びる複数のカム柱、及び、前記カム柱の先端側に接続され、前記筆記部材の後端部を内側に保持する円環状の保持部、を有し、前記基部が前記内筒内に配置された回転子と、
前記回転子を後端側へ付勢するスプリングと、
前記内筒内に配置され、先端方向へ押圧されることにより、前記回転子を先端側へ押圧することができるノック部材と、を有し、
前記回転子は前記ノック部材により前方に押圧されると、先端方向へ移動し、回転して、前記カム柱が前記切欠部に収容された筆先収容状態と、前記カム柱が前記切欠部から離脱した筆先前進状態とを切り替えることにより、前記回転子に保持された前記筆記部材の筆先が出没する、ことを特徴とするノック式筆記具。
【請求項２】
前記ノック部材は少なくとも前方が開口する内部空間を有し、
前記回転子の基部の少なくとも一部は前記ノック部材の内部空間内に位置し、
前記ノック部材は前記回転子の基部を保持している、請求項１に記載のノック式筆記具。
【請求項３】
前記内筒が前記ノック部材と前記回転子に挟まれることにより、前記内筒と、前記ノック部材と、前記回転子は一体に組み立てられている、請求項２に記載のノック式筆記具。
【請求項４】
前記回転子に設けられ、傾斜部を有する回転側カム部と、
前記回転側カム部に向かって相対移動可能であり、傾斜部を有する本体側カム部と、を備え、
前記回転子が前記ノック部材により前方に押圧されると、前記回転側カム部の傾斜部が前記本体側カム部の傾斜部に接触した状態で、前記回転側カム部が前記本体側カム部に向かって移動することにより、前記回転子が回転され、さらに、前記回転子が前記スプリングにより後方に押し戻される際に前記回転子が回転されることにより、前記筆先収容状態と、前記筆先前進状態とが切り替えられる、
請求項１から３の何れか１項に記載のノック式筆記具。
【請求項５】
前記本体側カム部又は前記回転側カム部はさらに段差部を有する、請求項４に記載のノック式筆記具。
【請求項６】
さらに、クリップ部材を有し、
前記内筒は前記軸筒の側方に突出し、前記軸筒に沿って先端側に延びるクリップ保持部を有し、
前記クリップ保持部には、表面から突出して軸方向に延びる保持部が形成され、
前記クリップ部材には、軸方向に延びる切込部が形成され、
前記表面から突出する保持部が、前記軸方向に延びる切込部に嵌合することにより、前記クリップ部材は前記クリップ保持部に保持されている、請求項１から５の何れか１項に記載のノック式筆記具。
【請求項７】
前記筆記部材以外の外部から視認可能な位置に表示部を備え、
前記表示部には溝部が形成されており、前記表示部は当該溝部にインクが毛細管現象により引き込まれて保持されることにより形成されている、請求項１〜６の何れか１項に記載のノック式筆記具。
【請求項８】
前記内筒の内周面には突部が形成され、
前記ノック部材には前縁から軸方向に延びる軸方向溝部が形成され、
前記軸方向溝部に前記突部が収容されている、請求項１〜７の何れか１項に記載のノック式筆記具。
【発明の詳細な説明】
【技術分野】
【０００１】
本発明は、軸筒の後端部に設けられた出没機構を操作することにより、筆記部材を軸筒の先端部から出没させることができるノック式筆記具に関する。
【背景技術】
【０００２】
従来より、軸筒の後端部に取り付けられた出没機構をノック操作することにより、リフィルを進退させて、リフィルの筆先を軸筒の先端から出没させるノック式筆記具が知られている。例えば、特許文献１に記載されているように、出没機構は、軸筒内に配置された内筒と、内筒内に配置され、リフィルを保持する回転子と、回転子を後方へ付勢するスプリング部材と、回転子を押圧するためのノック部材とを有する。
【０００３】
回転子の外面には係止爪が形成され、内筒の内面には爪受部が形成されている。スプリング部材の付勢力に抗してノック部材を押圧すると、回転子が先端側へ移動するとともに回転する。これにより、回転子の係止爪が内筒面の爪受部に係止された状態と、この係止が解除された状態とを切り替えることにより、筆先を軸筒の先端から出没させることができる。
【先行技術文献】
【特許文献】
【０００４】
【特許文献１】特開平１１−２７７９８０号公報
【発明の概要】
【発明が解決しようとする課題】
【０００５】
ここで、上記の出没機構を備えたノック式筆記具では、軸筒内に内筒が収容され、さらに、回転子が内筒内に収容されている。そして、回転子を回転させるために、内筒の内面及び回転子の外面に、それぞれ爪受部及び係止爪のカム機構が形成されている。さらに、回転子の内側にリフィルが保持されている。これらの結果、リフィルの太さに加えて、回転子の厚さ、カム機構の厚さ、内筒の厚さ、及び軸筒の厚さを確保する必要があり、筆記具の径が大きくなってしまう。また、筆記具の径を小さくするべく、リフィルを回転子の内側に保持せず、回転子の先端部によりリフィルの後端を押圧することも考えられる。しかしながら、このような場合には、リフィルの後端が回転子内に挿入されないため、筆記具の全長が長くなってしまう。
【０００６】
本発明は、上記の課題に鑑みなされたものであり、その目的は、径を小さくすることができ、長さを短くすることが可能なノック式筆記具を提供することである。
【課題を解決するための手段】
【０００７】
本発明のノック式筆記具は、先端開口及び後端開口を有する軸筒と、軸筒内に収容された筆記部材と、筆記部材の先端部を軸筒の先端開口から出没させる出没機構と、を備えたノック式筆記具であって、出没機構は、軸筒内の後端部に取り付けられ、先端縁から後方に延びる複数の切欠部が形成された軸筒の内面に沿って伸びるカム部を有する内筒と、基部、基部から先端側に軸筒の内面に沿って軸方向に延びる複数のカム柱、及び、カム柱の先端側に接続され、筆記部材の後端部を内側に保持する円環状の保持部、を有し、基部が内筒内に配置された回転子と、回転子を後端側へ付勢するスプリングと、内筒内に配置され、先端方向へ押圧されることにより、回転子を先端側へ押圧することができるノック部材と、を有し、回転子はノック部材により前方に押圧されると、先端方向へ移動し、回転して、カム柱が切欠部に収容された筆先収容状態と、カム柱が切欠部から離脱した筆先前進状態とを切り替えることにより、回転子に保持された筆記部材の筆先が出没する、ことを特徴とする。
【０００８】
上記構成の本発明によれば、内筒に軸筒の内面に沿うように切欠部を有するカム部が形成されており、さらに、回転子に軸方向に延びるカム柱が形成されているため、内筒の内面及び回転子の外面にはカムを設ける必要がなく、これにより、ノック式筆記具の径を小さくすることができる。また、回転子の円環状の保持部により、筆記部材の後端部を回転子の内側に保持するため、筆記具の長さを短くすることができる。
【０００９】
本発明において、好ましくは、ノック部材は少なくとも前方が開口する内部空間を有し、回転子の基部の少なくとも一部はノック部材の内部空間内に位置し、ノック部材は回転子の基部を保持している。
上記構成の本発明によれば、ノック部材が回転子の基部を保持しているため、ノック部材が脱落することを防止できる。
【００１０】
本発明において、好ましくは、内筒がノック部材と回転子に挟まれることにより、内筒と、ノック部材と、回転子は一体に組み立てられている。
上記構成の本発明によれば、出没機構の内筒、ノック部材、及び回転子を一体に組み立てたうえで、組み立て作業を行うことができるので、容易に組み立てや、リフィルの交換作業を行うことができる。
【００１１】
本発明において、好ましくは、回転子に設けられ、傾斜部を有する回転側カム部と、回転側カム部に向かって相対移動可能であり、傾斜部を有する本体側カム部と、を備え、回転子がノック部材により前方に押圧されると、回転側カム部の傾斜部が本体側カム部の傾斜部に接触した状態で、回転側カム部が本体側カム部に向かって移動することにより、回転子が回転され、さらに、回転子がスプリングにより後方に押し戻される際に回転子が回転されることにより、筆先収容状態と、筆先前進状態とが切り替えられる。
上記構成の本発明によれば、回転子がノック部材により前方に押圧された際に、回転側カム部と本体側カム部とにより回転子を回転させることができる。
【００１２】
本発明において、好ましくは、本体側カム部又は回転側カム部はさらに段差部を有する。
上記構成の本発明によれば、使用者がノック部材を押圧した際にノック感を感じることができる。
【００１３】
本発明において、好ましくは、内筒は軸筒の側方に突出し、軸筒に沿って先端側に延びるクリップ保持部を有し、クリップ保持部には、表面から突出して軸方向に延びる保持部が形成され、クリップ部材には、軸方向に延びる切込部が形成され、表面から突出する保持部が、軸方向に延びる切込部に嵌合することにより、クリップ部材はクリップ保持部に保持されている。
【００１４】
上記構成の本発明によれば、内筒のクリップ保持部に形成された保持部に、クリップ部材の切込部を嵌合させることにより、クリップ部材を着脱可能に筆記具本体に取り付けることができる。
【００１５】
本発明において、好ましくは、筆記部材以外の外部から視認可能な位置に表示部を備え、表示部には溝部が形成されており、表示部は溝部にインクが毛細管現象により引き込まれて保持されることにより形成されている。
【００１６】
上記構成の本発明によれば、表示部がインク収容部以外の外部から視認可能な位置に設けられているため、外部からの視認性が高い。また、表示部は溝部にインクが毛細管現象により引き込まれて保持されることにより形成されているため、印刷を行うことなく表示部を形成することができ、組み立て時に表示部を形成することができる。このため、在庫管理や、組み立て時の部品切替等を容易に行うことができる。
【００１７】
本発明において、好ましくは、内筒の内周面には突部が形成され、ノック部材には前縁から軸方向に延びる軸方向溝部が形成され、軸方向溝部に突部が収容されている。
上記構成の本発明によれば、ノック部材が内筒に対して軸方向に移動可能であるとともに、ノック部材の内筒に対する回転を拘束することができる。
【発明の効果】
【００１８】
本発明によれば、径を小さくすることができ、長さを短くすることが可能なノック式筆記具を提供することができる。
【図面の簡単な説明】
【００１９】
【図１】本発明の第１実施形態によるノック式筆記具を示す軸方向に沿った断面図である。
【図２】図１に示すノック式筆記具の分解斜視図である。
【図３】図１に示すノック式筆記具の軸筒を示す軸方向に沿った断面図である。
【図４ａ】図１に示すノック式筆記具の内筒を示す斜視図である。
【図４ｂ】図１に示すノック式筆記具の内筒を示す正面図である。
【図４ｃ】図１に示すノック式筆記具の内筒を示す軸方向断面図である。
【図４ｄ】図１に示すノック式筆記具の内筒を示す下面図である。
【図４ｅ】図１に示すノック式筆記具の内筒のカム部の展開図である。
【図５ａ】図１に示すノック式筆記具の回転子を示す斜視図である。
【図５ｂ】図１に示すノック式筆記具の回転子を示す正面図である。
【図５ｃ】図１に示すノック式筆記具の回転子の円環部の展開図である。
【図５ｄ】図１に示すノック式筆記具の回転子のカム柱及び保持部の展開図である。
【図６ａ】図１に示すノック式筆記具のノック部材を示す斜視図である。
【図６ｂ】図１に示すノック式筆記具のノック部材を示す正面図である。
【図６ｃ】図１に示すノック式筆記具のノック部材を示す軸方向に沿った断面図である。
【図６ｄ】図１に示すノック式筆記具のノック部材の前部の展開図である。
【図７ａ】図１に示すノック式筆記具のクリップ部材を示す斜視図である。
【図７ｂ】図１に示すノック式筆記具のクリップ部材を示す正面図である。
【図８ａ】リフィル部材の筆先を軸筒内に収容した状態の図１に示すノック式筆記具のクリップ部材が取り付けられた出没機構を示す正面図である。
【図８ｂ】リフィル部材の筆先を軸筒内に収容した状態の図１に示すノック式筆記具のクリップ部材が取り付けられた出没機構を示す軸方向に沿った断面図である。
【図９ａ】リフィル部材の筆先が軸筒の先端開口から突出した状態の図１に示すノック式筆記具のクリップ部材が取り付けられた出没機構を示す正面図である。
【図９ｂ】リフィル部材の筆先が軸筒の先端開口から突出した状態の図１に示すノック式筆記具のクリップ部材が取り付けられた出没機構を示す軸方向に沿った断面図である。
【図１０】図１に示すノック式筆記具による筆先の出没操作を説明するための図（その１）である。
【図１１】図１に示すノック式筆記具による筆先の出没操作を説明するための図（その２）である。
【図１２】図１に示すノック式筆記具による筆先の出没操作を説明するための図（その３）である。
【図１３】図１に示すノック式筆記具による筆先の出没操作を説明するための図（その４）である。
【図１４】図１に示すノック式筆記具による筆先の出没操作を説明するための図（その５）である。
【図１５】図１に示すノック式筆記具による筆先の出没操作を説明するための図（その６）である。
【図１６】図１に示すノック式筆記具による筆先の出没操作を説明するための図（その７）である。
【図１７】図１に示すノック式筆記具による筆先の出没操作を説明するための図（その８）である。
【図１８】図１に示すノック式筆記具による筆先の出没操作を説明するための図（その９）である。
【図１９】本発明の第２実施形態によるノック式筆記具を示す軸方向に沿った断面図である。
【図２０】図１９に示すノック式筆記具の分解斜視図である。
【図２１】図１９に示すノック式筆記具の軸筒を示す軸方向に沿った断面図である。
【図２２ａ】図１９に示すノック式筆記具の内筒を示す斜視図である。
【図２２ｂ】図１９に示すノック式筆記具の内筒を示す正面図である。
【図２２ｃ】図１９に示すノック式筆記具の内筒を示す軸方向断面図である。
【図２２ｄ】図１９に示すノック式筆記具の内筒を示す下面図である。
【図２２ｅ】図２２ｃのｅ部の拡大図である。
【図２３ａ】図１９に示すノック式筆記具の回転子を示す斜視図である。
【図２３ｂ】図１９に示すノック式筆記具の回転子を示す正面図である。
【図２４ａ】図１９に示すノック式筆記具のノック部材を示す斜視図である。
【図２４ｂ】図１９に示すノック式筆記具のノック部材を示す正面図である。
【図２４ｃ】図１９に示すノック式筆記具のノック部材を示す軸方向に沿った断面図である。
【図２５ａ】図１９に示すノック式筆記具のクリップ部材を示す斜視図である。
【図２５ｂ】図１９に示すノック式筆記具のクリップ部材を示す正面図である。
【図２６ａ】リフィル部材の筆先を軸筒内に収容した状態の図１９に示すノック式筆記具のクリップ部材が取り付けられた出没機構を示す正面図である。
【図２６ｂ】リフィル部材の筆先を軸筒内に収容した状態の図１９に示すノック式筆記具のクリップ部材が取り付けられた出没機構を示す軸方向に沿った断面図である。
【図２７ａ】リフィル部材の筆先が先端開口から突出した状態の図１９に示すノック式筆記具のクリップ部材が取り付けられた出没機構を示す正面図である。
【図２７ｂ】リフィル部材の筆先が先端開口から突出した状態の図１９に示すノック式筆記具のクリップ部材が取り付けられた出没機構を示す軸方向に沿った断面図である。
【図２８】図１９に示すノック式筆記具による筆先の出没操作を説明するための図（その１）である。
【図２９】図１９に示すノック式筆記具による筆先の出没操作を説明するための図（その２）である。
【図３０】図１９に示すノック式筆記具による筆先の出没操作を説明するための図（その３）である。
【図３１】図１９に示すノック式筆記具による筆先の出没操作を説明するための図（その４）である。
【図３２】図１９に示すノック式筆記具による筆先の出没操作を説明するための図（その５）である。
【図３３】図１９に示すノック式筆記具による筆先の出没操作を説明するための図（その６）である。
【図３４】図１９に示すノック式筆記具による筆先の出没操作を説明するための図（その７）である。
【図３５】図１９に示すノック式筆記具による筆先の出没操作を説明するための図（その８）である。
【図３６】図１９に示すノック式筆記具による筆先の出没操作を説明するための図（その９）である。
【図３７】図１９に示すノック式筆記具による筆先の出没操作を説明するための図（その１０）である。
【図３８】図１９に示すノック式筆記具による筆先の出没操作を説明するための図（その１１）である。
【図３９】図１９に示すノック式筆記具による筆先の出没操作を説明するための図（その１２）である。
【図４０】図１９に示すノック式筆記具による筆先の出没操作を説明するための図（その１３）である。
【図４１】図１９に示すノック式筆記具による筆先の出没操作を説明するための図（その１４）である。
【図４２】本発明の第３実施形態によるノック式筆記具を示す軸方向に沿った断面図である。
【図４３】本発明の第４実施形態によるノック式筆記具を示す軸方向に沿った断面図である。
【図４４】図４３に示すノック式筆記具の分解斜視図である。
【図４５ａ】図４３に示すノック式筆記具の軸筒を示す軸方向に沿った断面図である。
【図４５ｂ】図４５ａのｂ部の拡大図である。
【図４６ａ】図４３に示すノック式筆記具の内筒を示す斜視図である。
【図４６ｂ】図４３に示すノック式筆記具の内筒を示す正面図である。
【図４６ｃ】図４３に示すノック式筆記具の内筒を示す軸方向断面図である。
【図４６ｄ】図４３に示すノック式筆記具の内筒を示す下面図である。
【図４７ａ】図４３に示すノック式筆記具の回転子を示す斜視図である。
【図４７ｂ】図４３に示すノック式筆記具の回転子を示す正面図である。
【図４７ｃ】図４３に示すノック式筆記具の回転子の前部の展開図である。
【図４８ａ】図４３に示すノック式筆記具のノック部材を示す斜視図である。
【図４８ｂ】図４３に示すノック式筆記具のノック部材を示す正面図である。
【図４８ｃ】図４３に示すノック式筆記具のノック部材を示す軸方向に沿った断面図である。
【図４９ａ】図４３に示すノック式筆記具のクリップ部材を示す斜視図である。
【図４９ｂ】図４３に示すノック式筆記具のクリップ部材を示す正面図である。
【図５０】図４３に示すノック式筆記具のクリップ部材の後端部を拡大して示す軸方向に沿った断面図である。
【図５１】図４３に示すノック式筆記具による筆先の出没操作を説明するための図（その１）である。
【図５２】図４３に示すノック式筆記具による筆先の出没操作を説明するための図（その２）である。
【図５３】図４３に示すノック式筆記具による筆先の出没操作を説明するための図（その３）である。
【図５４】図４３に示すノック式筆記具による筆先の出没操作を説明するための図（その４）である。
【図５５】図４３に示すノック式筆記具による筆先の出没操作を説明するための図（その５）である。
【図５６】図４３に示すノック式筆記具による筆先の出没操作を説明するための図（その６）である。
【図５７】図４３に示すノック式筆記具による筆先の出没操作を説明するための図（その７）である。
【図５８】図４３に示すノック式筆記具による筆先の出没操作を説明するための図（その８）である。
【図５９】図４３に示すノック式筆記具による筆先の出没操作を説明するための図（その９）である。
【図６０】図４３に示すノック式筆記具による筆先の出没操作を説明するための図（その１０）である。
【図６１】本発明の第５実施形態による筆記具を示す斜視図である。
【図６２ａ】図６１に示す筆記具の側面図である。
【図６２ｂ】図６１に示す筆記具の軸方向に沿った断面図である。
【図６３ａ】図６１に示す筆記具の軸筒を示す軸方向断面図である。
【図６３ｂ】図６１に示す筆記具の軸筒を示す後端部の斜視図である。
【図６４ａ】図６１に示すノック式筆記具の内筒を示す斜視図である。
【図６４ｂ】図６１に示すノック式筆記具の内筒を示す正面図である。
【図６４ｃ】図６１に示すノック式筆記具の内筒を示す軸方向に沿った断面図である。
【図６４ｄ】図６１に示すノック式筆記具の内筒を示す下面図である。
【図６５ａ】図６１に示すノック式筆記具の回転子を示す斜視図である。
【図６５ｂ】図６１に示すノック式筆記具の回転子を示す正面図である。
【図６６ａ】図６１に示すノック式筆記具のノック部材を示す斜視図である。
【図６６ｂ】図６１に示すノック式筆記具のノック部材を示す正面図である。
【図６６ｃ】図６１に示すノック式筆記具のノック部材を示す軸方向に沿った断面図である。
【図６７ａ】図６１に示すノック式筆記具のクリップ部材を示す斜視図である。
【図６７ｂ】図６１に示すノック式筆記具のクリップ部材を示す正面図である。
【図６７ｃ】図６１に示すノック式筆記具のクリップ部材を示す側面図である。
【図６８】本発明の第６実施形態による筆記具を示す軸方向断面図である。
【図６９ａ】図６８に示すノック式筆記具の出没機構を示す斜視図である。
【図６９ｂ】図６８に示すノック式筆記具の出没機構を示す側面図である。
【図６９ｃ】図６８に示すノック式筆記具の出没機構を示す背面図である。
【図６９ｄ】図６８に示すノック式筆記具の出没機構を示す断面図である。
【図７０ａ】図６８に示すノック式筆記具の内筒を示す斜視図である。
【図７０ｂ】図６８に示すノック式筆記具の内筒を示す上面図である。
【図７０ｃ】図６８に示すノック式筆記具の内筒を示す側面図である。
【図７０ｄ】図６８に示すノック式筆記具の内筒を示す軸方向に沿った断面図である。
【図７１ａ】図６８に示すノック式筆記具の回転子を示す斜視図である。
【図７１ｂ】図６８に示すノック式筆記具の回転子を示す正面図である。
【図７１ｃ】図６８に示すノック式筆記具の回転子を示す上面図である。
【図７１ｄ】図６８に示すノック式筆記具の回転子を示すｄ−ｄ断面図である。
【図７２ａ】図６８に示すノック式筆記具のノック部材を示す斜視図である。
【図７２ｂ】図６８に示すノック式筆記具のノック部材を示す正面図である。
【図７２ｃ】図６８に示すノック式筆記具のノック部材を示す軸方向に沿った断面図である。
【図７３ａ】図６８に示すノック式筆記具のクリップ部材を示す半径方向外方から見た斜視図である。
【図７３ｂ】図６８に示すノック式筆記具のクリップ部材を示す半径方向内方から見た斜視図である。
【図７３ｃ】図６８に示すノック式筆記具のクリップ部材を示す半径方向内方から見た側面図である。
【図７４】図６８に示すノック式筆記具の後端部を示す斜視図である。
【発明を実施するための形態】
【００２０】
＜第１実施形態＞
以下、本発明のノック式筆記具の第１実施形態を、図面を参照しながら詳細に説明する。
なお、以下の説明では、リフィルの筆先が出没する側を先端側又は前方といい、出没機構のノック部が延出する側を後端側又は後方という。
図１は、本発明の第１実施形態によるノック式筆記具を示す軸方向に沿った断面図である。また、図２は、図１に示すノック式筆記具の分解斜視図である。図１及び図２に示すように、本実施形態のノック式筆記具１は、円筒状の軸筒２と、軸筒２内に収容されたリフィル部材４と、軸筒２の後端部に設けられた出没機構６と、出没機構６に接続されたクリップ部材８と、を備える。軸筒２と、リフィル部材４と、出没機構６と、により筆記具本体が構成される。
【００２１】
図３は、図１に示すノック式筆記具の軸筒を示す軸方向に沿った断面図である。図３に示すように、軸筒２は先端部が先細り状である円筒形状に形成されている。軸筒２の先端部には先端開口２ａが形成されており、後端部には後端開口２ｂが形成されている。軸筒２の後端部の内面には螺合部２ｃが形成されている。また、軸筒２の中間部には段部２ｄが形成されており、段部２ｄより後端側の軸筒２の内径は、先端側の内径よりも大きくなっている。
【００２２】
図１及び図２に示すように、リフィル部材４は、インクが収容されたインク収容部４ａと、インク収容部４ａの先端側に接続された筆先部４ｂとを備える。インク収容部４ａには、水性又は油性のインクが収容されている。インク収容部４ａに収容されたインクは、筆先部４ｂに供給される。筆先部４ｂの先端の転写ボールを紙面に当接させることにより、インクが紙面に転写される。
【００２３】
図１及び図２に示すように、出没機構６は、内筒１０と、回転子１２と、スプリング部材１４と、ノック部材１６とを備える。
図４ａ〜図４ｅは、図１に示すノック式筆記具の内筒を示し、図４ａは斜視図、図４ｂは正面図、図４ｃは軸方向断面図、図４ｄは下面図、図４ｅはカム部の展開図である。図４ａ〜図４ｅに示すように、内筒１０は、円筒状の本体部１０ａと、本体部１０ａから先端側に延びるカム部１０ｂと、本体部１０ａの後端側に接続された後端部１０ｃと、後端部１０ｃから側方に延びるクリップ保持部１０ｄとを備える。これら、本体部１０ａと、カム部１０ｂと、後端部１０ｃと、クリップ保持部１０ｄとは一体に成形されている。
【００２４】
本体部１０ａは円筒状であり、本体部１０ａの外径は軸筒２の内径と略等しくなっている。本体部１０ａの外周面には螺合部１０ｅが形成されている。また、本体部１０ａの内周面には、対向する位置に１８０度の角度間隔で、軸方向に延びる軸方向突部１０ｆが形成されている。
【００２５】
カム部１０ｂは略円筒状であり、その内径及び外径は本体部１０ａの内径及び外径と等しくなっている。図４ｅに示すように、カム部１０ｂには、周方向に第１の切欠部１８と、第２の切欠部２０とが交互に形成されている。第１の切欠部１８は、先端縁から軸方向後方に延びる軸方向溝部１８ａと、軸方向溝部１８ａに時計回り（図４ｅの右方向）に連続して形成された案内部１８ｂとを有する。軸方向溝部１８ａは、一定の周方向幅で軸方向に延びる溝であり、第２の切欠部２０よりも後方へ延びている。案内部１８ｂは、周面で見て、時計回りに切込深さ（内筒の先端縁からの距離）が小さくなるような三角形状に形成されている。第２の切欠部２０は、周面で見て、時計回りに切込深さが小さくなるような三角形状に形成されている。第２の切欠部２０の最大切込深さは、第１の切欠部１８の軸方向溝部１８ａの切込深さよりも小さく、案内部１８ｂの最大切込深さよりも大きくなっている。第２の切欠部２０の反時計回り（図４ｅの左方向）端部の位置は、隣接する第１の切欠部１８の案内部１８ｂの時計回り端部の位置と一致している。また、第２の切欠部２０の時計回り端部の位置は、隣接する第１の切欠部１８の軸方向溝部１８ａの反時計回り端部の位置と一致している。
後端部１０ｃは、外径が軸筒２の外径よりもわずかに小さい円筒状に形成されている。
【００２６】
クリップ保持部１０ｄは、後端部１０ｃから半径方向外方、かつ、前方に延びる接続部１０ｄ１と、接続部１０ｄ１の前端から前方に延びる本体部１０ｄ２と、本体部１０ｄ２の半径方向内面に形成された保持部１０ｄ３とを有する。保持部１０ｄ３は、接続部１０ｄ１から前方に向かって伸びており、全長にわたり、軸方向に垂直な面の断面形状が丁字状を呈している。
【００２７】
図５ａ〜図５ｄは、図１に示すノック式筆記具の回転子を示し、図５ａは斜視図、図５ｂは正面図、図５ｃは円環部の展開図、図５ｄはカム柱及び保持部の展開図である。図５ａ〜図５ｄに示すように、回転子１２は、円筒状の基部２１と、基部２１から前方に延びる４本のカム柱２８と、カム柱２８の前端に接続された保持部３０と、を有する。
基部２１は、円筒状の本体部２２と、本体部２２の後端側に接続された後端部２４と、本体部２２の先端側に接続された円環状の円環部２６と、を有する。
【００２８】
本体部２２は、円筒状に形成されており、外径が、後述するノック部材１６の前部の内径よりもわずかに小さくなっている。本体部２２の後端部には後方に向かって縮径する縮径部２２ａを有する。
【００２９】
後端部２４は、本体部２２の後端に連続する円柱部２４ａと、円柱部２４ａの後端に連続する円錐台状（截頭円錐体状）の円錐台部２４ｂと、円錐台部２４ｂの後端に連続する表示部２４ｃとを有する。円柱部２４ａは、軸方向に同一な円形断面形状である。円柱部２４ａの外径は、ノック部材１６の後部３６（図６）の内径よりもわずかに小さくなっている。円錐台部２４ｂは、先端側の径が大きい円錐台形状である。円錐台部２４ｂの後端の径は、円柱部２４ａ及び表示部２４ｃの径と略等しくなっている。表示部２４ｃは、円錐台部２４ｂの後端から後方に延びる円柱状の部位である。表示部２４ｃには軸方向に延びる複数の溝が形成されている。
【００３０】
円環部２６は、本体部２２の前端部に接続されており、円環状に形成されている。円環部２６の外径は本体部２２の外径よりも大きく、保持部３０の外径よりも小さくなっている。円環部２６の後方の表面には回転側カム部２６ｂが形成されている。回転側カム部２６ｂは、周方向に９０度間隔で形成された４つのカム突部２６ａを含む。カム突部２６ａは、後方に向かって突出する二等辺三角形状になっている。
【００３１】
カム柱２８は、軸方向に垂直な面で円弧状の断面形状を有し、基部２１の円環部２６の径方向外周面に接続され、前方に向かって延びている。カム柱２８は、周方向に９０度間隔で取り付けられている。カム柱２８は、円環部２６に形成されたカム突部２６ａの半分の周方向幅を有する。各カム柱２８は、円環部２６のカム突部２６ａの図５（ｂ）〜（ｄ）の右半部の外面に接続されている。カム柱２８の後端面は、円環部２６のカム突部２６ａの時計回り方向の後半部の後端面と面一になっている。すなわち、カム柱２８の後端面２８ａは、時計回りに後方への突出高さが低くなるような傾斜部に形成されている。
【００３２】
保持部３０は円環状に形成されている。保持部３０の内径及び外径はカム柱２８の内径及び外径と等しくなっている。
スプリング部材１４は、らせん状の金属部材からなるばね部材である。
【００３３】
図６ａ〜図６ｃは、図１に示すノック式筆記具のノック部材を示し、図６ａは斜視図、図６ｂは正面図、図６ｃは軸方向に沿った断面図、図６ｄは前部の展開図である。ノック部材１６は、前部３２と、前部の後方に連続する中間部３４と、中間部３４の後方に連続する後部３６とを有する。
前部３２は、少なくとも前方に開口する円柱状の内部空間が形成され、一対の円弧状断面の壁面により形成されている。前部３２の外径は、内筒１０の本体部１０ａの内径よりもわずかに小さい。また、前部３２の内径は、回転子１２の本体部２２の外径よりもわずかに大きい。前部３２には、軸方向に延び前方に開口し、後方に所定の長さ延びる一対の軸方向溝部３２ａが、周方向に１８０度の間隔で形成されている。また、前部３２の前端部の端面には本体側カム部３２ｂが形成されている。本体側カム部３２ｂは、一対の軸方向溝部３２ａの間に形成された、それぞれ周方向に並ぶ３つの三角形状の突部３２ｂ１、３２ｂ２、３２ｂ３を含む。後述するように、ノック部材１６の本体側カム部３２ｂと、回転子１２の回転側カム部２６ｂとにより、ノック部材１６を押し込んだ際に回転子１２が所定の角度だけ回転される。
【００３４】
中間部３４は円環状に形成されており、内面に円環状に突出する係止部３４ｂが形成されている。係止部３４ｂの前部は、好ましくは、図６（ｃ）に示すように、後方に向かって縮径するような傾斜部が形成されていることが好ましい。
後部３６は円筒状に形成されている。また、外周面の対向する部分が扁平に形成されている。
【００３５】
図７は、図１に示すノック式筆記具のクリップ部材を示し、（ａ）は斜視図、（ｂ）は正面図である。図７に示すように、クリップ部材８は、接続部８ａと、接続部８ａから前方に軸方向に延びる本体部８ｂとを備える。接続部８ａには、軸方向に延びる切欠部８ｃが形成されている。また、切欠部８ｃの径方向外方の両縁には、切欠部８ｃの中心に向かって突出する突出部８ｄが形成されている。図１に示すように、内筒１０の保持部１０ｄ３がクリップ部材８の切欠部８ｃに収容されることにより、クリップ部材８は軸筒２の側方に位置するように内筒１０に固定されている。
【００３６】
図８及び図９は、図１に示すノック式筆記具のクリップ部材が取り付けられた出没機構を示す図であり、各図において（ａ）は正面図、（ｂ）は軸方向に沿った断面図である。なお、図８は、リフィル部材４の筆先を軸筒２内に収容した状態を示し、図９は、リフィル部材４の筆先が軸筒２の先端開口２ａから突出した状態を示す。また、図８及び図９では、出没機構のスプリング部材は図示を省略している。
【００３７】
図８及び図９に示すように、ノック部材１６は、ノック部材１６の軸方向溝部３２ａ内に内筒１０の軸方向突部１０ｆ（図４ｃ）が位置するように、後方から内筒１０内に挿入されている。また、回転子１２は、基部２１に形成された円錐台部２４ｂがノック部材１６の係止部３４ｂを超える位置まで、ノック部材１６内に前方から挿入されている。内筒１０のカム部１０ｂと回転子１２のカム柱２８とは軸筒２の内面に沿っており、同円上に位置している。
【００３８】
このような構成により、ノック部材１６は、内筒１０に対して回転が拘束されるとともに、内筒１０に対して軸方向に相対移動可能である。また、回転子１２はノック部材１６に対して回転可能であるとともに、ノック部材１６の係止部３４ｂが回転子１２の円錐台部２４ｂに当接する位置と、ノック部材１６の突部３２ｂ１、３２ｂ２、３２ｂ３が回転子１２のカム突部２６ａと当接する位置との間で、軸方向に相対移動可能になっている。すなわち、回転子１２の基部２１がノック部材１６により保持されるとともに、回転側カム部２６ｂが、本体側カム部３２ｂに対して相対的に移動することができる。
【００３９】
そして、内筒１０の本体部１０ａ及びカム部１０ｂが軸筒２の後端開口２ｂ内に収容され、軸筒２の螺合部２ｃと内筒１０の螺合部１０ｅとが螺合することにより、内筒１０が軸筒２の後端部に取り付けられている。
【００４０】
また、リフィル部材４の後端部は、回転子１２の円環状の保持部３０内に挿入され、円環部２６の前面に当接している。これにより、リフィル部材４は回転子１２により繰出及び引き戻し可能に保持されている。
【００４１】
また、スプリング部材１４は、リフィル部材４と軸筒２との間に配置されている。スプリング部材１４は収縮した状態で、軸筒２の段部２ｄと、回転子１２の保持部３０との間に挟み込まれている。これにより、回転子１２はスプリング部材１４により後方に向かって付勢されている。
【００４２】
次に、本実施形態のノック式筆記具による筆先の出没操作について説明する。
図１０〜図１８は、図１に示すノック式筆記具による筆先の出没操作を説明するための図である。図１０〜図１８は、内筒１０のカム部１０ｂと、回転子１２の円環部２６及びカム柱２８と、ノック部材１６の前部３２とを展開して示している。なお、図１０〜図１８において、内筒１０のカム部１０ｂ及び回転子１２のカム柱２８は実線で、回転子１２の円環部２６及びノック部材１６の前部３２は破線で示している。
【００４３】
図１０は、ノック式筆記具のリフィル部材４の筆先部４ｂが軸筒２内に収容された状態（筆先収容状態）を示す。図１０に示すように、回転子１２がスプリング部材１４により後方に付勢されることにより、回転子１２のカム柱２８が内筒１０の第１の切欠部１８内に入り込み、カム柱２８の後端が第１の切欠部１８の底部に当接している。
【００４４】
まず、図１０に示す状態から、リフィル部材４の筆先部４ｂを進出させるためには、ノック部材１６を前方に押し込む。ノック部材１６を前方に押し込むと、まず、図１１に示すように、ノック部材１６の３つの連続する突部のうちの中央の突部３２ｂ２の図中左半部の縁が、回転子１２の円環部２６のカム突部２６ａの右半部の縁に当接する。このように当接した状態で、さらに、ノック部材１６を前方に押し込むと、回転子１２のカム柱２８が内筒１０の第１の切欠部１８内に入り込でいるため、回転子１２は回転することなく、前方（図中下方）に押し出される。
【００４５】
さらに、ノック部材１６を前方に押し込むと、図１２に示すように、回転子１２のカム柱２８が内筒１０の第１の切欠部１８から離脱する。このように、回転子１２のカム柱２８が内筒１０の第１の切欠部１８から離脱すると、ノック部材１６の中央の突部３２ｂ２の左半部の傾斜部と、回転子１２の円環部２６のカム突部２６ａの右半部の傾斜部とが当接しており、回転子１２がスプリング部材１４により後方に付勢されているため、回転子１２の円環部２６のカム突部２６ａの右半部の傾斜部が、ノック部材１６の中央の突部３２ｂ２の左半部の傾斜部に沿って移動する。これにより、回転子１２が、図中左方向に回転するとともに、回転子１２が後方に向かって移動する。この際、回転子１２が後方に移動するため、使用者はノック感（ノック部材１６への付勢力に変化）を感じることができる。そして、図１３に示すように、回転子１２の円環部２６のカム突部２６ａが、ノック部材１６の左側突部３２ｂ１及び中央の突部３２ｂ２の間の溝に嵌まり込む。すなわち、回転子１２の円環部２６のカム突部２６ａの左半部の縁が、ノック部材１６の左側突部３２ｂ１の右半部の縁に当接し、回転子１２の円環部２６のカム突部２６ａの右半部の縁が、ノック部材１６の中央突部３２ｂ２の左半部の縁に当接する。
【００４６】
そして、使用者はノック感を感じると、ノック部材１６の押し込み力を解除する。このようにノック部材１６の押し込み力を解除すると、回転子１２がスプリング部材１４により後方に付勢されているため、回転子１２が後方に移動し、回転子１２のカム柱２８の後端面２８ａと、内筒１０の第２の切欠部２０の傾斜部２０ａとが当接する。そして、回転子１２がスプリング部材１４により後方に付勢されているため、回転子１２が図中左方向に回転されるとともに後方に移動する。また、ノック部材１６も回転子１２とともに後方に移動する。これにより、図１４に示すように、回転子１２のカム柱２８の端部が内筒１０の第２の切欠部２０の最深部に嵌まり込む。すなわち、回転子１２のカム柱２８の後端面２８ａが内筒１０の第２の切欠部２０の傾斜部２０ａに当接するとともに、回転子１２のカム柱２８の左側の縁２８ｂが、内筒１０の第２の切欠部２０の軸方向に延びる縁部２０ｂに当接する。これにより、リフィル部材４の筆先部４ｂが軸筒２の先端開口２ａから突出した状態（筆先進出状態）で保持される。
【００４７】
次に、リフィル部材４の筆先部４ｂを後退させるためには、ノック部材１６を前方に押し込む。この際、回転子１２のカム柱２８の左側の縁２８ｂが、内筒１０の第２の切欠部２０の軸方向に延びる縁部２０ｂに当接するとともに、回転子１２の円環部２６のカム突部２６ａの右半部の縁部がノック部材１６の左側突部３２ｂ１又は右側突部３２ｂ３の左半部の縁に当接しているため、回転子１２は回転することなく、前方に移動する。そして、図１５に示すように、回転子１２のカム柱２８が内筒１０の第２の切欠部２０から離脱する。
【００４８】
回転子１２のカム柱２８が内筒１０の第２の切欠部２０から離脱すると、回転子１２がスプリング部材１４により後方に付勢され、回転子１２の円環部２６のカム突部２６ａの右半部の縁部がノック部材１６の左側突部３２ｂ１又は右側突部３２ｂ３の左半部の縁に当接しているため、回転子１２が図中左側に回転するとともに後方に移動する。これにより、図１６に示すように、回転子１２の円環部２６のカム突部２６ａが、ノック部材１６の中央突部３２ｂ２と右側突部３２ｂ３との間に入り込む。この際、回転子１２が後方に移動するため、使用者はノック感（ノック部材１６への付勢力に変化）を感じることができる。
【００４９】
そして、使用者はノック感を感じると、ノック部材１６の押し込み力を解除する。ノック部材１６の押し込み力が解除されると、スプリング部材１４の付勢力により、回転子１２は後方へ移動し、図１７に示すように、回転子１２のカム柱２８の後端面２８ａが、内筒１０の案内部１８ｂの縁に当接する。さらに、スプリング部材１４の付勢力が回転子１２に作用することにより、回転子１２のカム柱２８の後端面２８ａが内筒１０の案内部１８ｂの縁に当接した状態で、回転子１２が後方に移動し、これにより、回転子１２が図中左方向に回転する。そして、図１８に示すように、回転子１２のカム柱２８が内筒１０の第１の切欠部１８内に入り込み、回転子１２のカム柱２８の後端部が内筒１０の第１の切欠部１８の最深部に当接する。これにより、ノック式筆記具のリフィル部材４の筆先部４ｂが軸筒２内に収容された状態（筆先収容状態）となる。
【００５０】
以上説明したように、本実施形態によれば以下の作用効果が奏される。
本実施形態によれば、内筒１０に軸筒２の内面に沿うように第１の切欠部１８を有するカム部１０ｂが形成されており、回転子１２には軸方向に延びるカム柱２８が形成されているため、内筒１０の内面及び回転子１２の外面にはカムを設ける必要がなく、これにより、ノック式筆記具の径を小さくすることができる。また、回転子１２の円環状の保持部３０により、リフィル部材４の後端部を回転子１２の内側に保持するため、筆記具の長さを短くすることができる。
【００５１】
また、本実施形態では、ノック部材１６は前方が開口する内部空間を有し、回転子１２の後端部２４はノック部材１６の内部空間内に位置し、ノック部材１６は回転子１２の後端部２４を保持している。このように、ノック部材１６が回転子１２の基部を保持しているため、ノック部材１６が脱落することを防止できる。
【００５２】
また、本実施形態では、内筒１０がノック部材１６と回転子１２に挟まれることにより、内筒１０と、ノック部材１６と、回転子１２は一体に組み立てられている。これにより、出没機構６の内筒１０、ノック部材１６、及び回転子１２を一体に組み立てたうえで、組み立て作業を行うことができるので、容易に組み立てや、リフィルの交換作業を行うことができる。
【００５３】
また、本実施形態では、回転子１２に設けられ、ノック部材１６の傾斜部を有する回転側カム部２６ｂと、回転側カム部２６ｂに向かって相対移動可能であり、傾斜部を有する本体側カム部３２ｂと、を備え、回転子１２がノック部材１６により前方に押圧されると、回転側カム部２６ｂの傾斜部が本体側カム部３２ｂの傾斜部に接触した状態で、回転側カム部２６ｂが本体側カム部３２ｂに向かって移動することにより、回転子１２が回転され、さらに、回転子１２がスプリング部材１４により後方に押し戻される際に回転子１２が回転されることにより、筆先収容状態と、筆先前進状態とが切り替えられる。このような本実施形態によれば、回転子１２がノック部材１６により前方に押圧された際に、回転側カム部２６ｂと本体側カム部３２ｂとにより回転子１２を回転させることができる。
【００５４】
また、本実施形態では、内筒１０の内周面には軸方向突部１０ｆが形成され、ノック部材１６には前縁から軸方向に延びる軸方向溝部３２ａが形成され、軸方向溝部３２ａに軸方向突部１０ｆが収容されている。
これにより、ノック部材１６は内筒１０に対して軸方向に移動可能であるとともに、回転が拘束されている。
【００５５】
＜第２実施形態＞
以下、本発明の第２実施形態を、図面を参照しながら説明する。なお、以下の説明において、第１実施形態と同様の構成については、同じ符号を付して詳細な説明を省略する。
図１９は、本発明の第２実施形態によるノック式筆記具を示す軸方向に沿った断面図である。また、図２０は、図１９に示すノック式筆記具の分解斜視図である。図１９及び図２０に示すように、本実施形態のノック式筆記具１０１は、円筒状の軸筒１０２と、軸筒１０２内に収容されたリフィル部材４と、軸筒１０２の後端部に設けられた出没機構１０６と、出没機構１０６に接続されたクリップ部材１０８と、を備える。軸筒１０２と、リフィル部材４と、出没機構１０６と、により筆記具本体が構成される。
【００５６】
図２１は、図１９に示すノック式筆記具の軸筒を示す軸方向に沿った断面図である。図２１に示すように、軸筒１０２は先端部が先細り状である円筒形状に形成されている。軸筒１０２の先端部には先端開口１０２ａが形成されており、後端部には後端開口１０２ｂが形成されている。軸筒１０２の後端部の内面には螺合部１０２ｃが形成されている。
【００５７】
図１９及び図２０に示すように、出没機構１０６は、内筒１１０と、回転子１１２と、スプリング部材１１４と、ノック部材１１６とを備える。
図２２ａ〜図２２ｅは、図１９に示すノック式筆記具の内筒を示し、図２２ａは斜視図、図２２ｂは正面図、図２２ｃは軸方向断面図、図２２ｄは下面図、図２２ｅは図２２ｃのｅ部の拡大図である。図２２ａ〜図２２ｅに示すように、内筒１１０は、円筒状の本体部１１０ａと、本体部１１０ａから先端側に延びるカム部１１０ｂと、本体部１１０ａの後端側に接続された後端部１１０ｃと、を備える。これら、本体部１１０ａと、カム部１１０ｂと、後端部１１０ｃと、は一体に成形されている。
【００５８】
本体部１１０ａは円筒状であり、本体部１１０ａの外径は軸筒１０２の内径と略等しくなっている。本体部１１０ａの外周面には螺合部１１０ｅが形成されている。また、本体部１１０ａの前方の端部には、内径が小さくなるような縮径部１１０ｇが設けられており、縮径部１１０ｇの内周面には本体側カム部１１０ｆが形成されている。縮径部１１０ｇには周方向に１８０°の間隔をあけて一対の切欠部１１０ｇ１が形成されている。この切欠部１１０ｇ１は、組み立ての際に回転子１１２の回転側カム部１２２ｂと、縮径部１１０ｇとの干渉を避けるために設けられている。
【００５９】
図２２ｅに示すように、本体側カム部１１０ｆは、複数のカム凸部１１０ｆ５が周方向に並んで形成されている。本実施形態では、切欠部１１０ｇ１から周方向に所定の方向（図２２ｅで左向き）に、二つのカム凸部１１０ｆ５が連続して配置され、このカム凸部１１０ｆ５に連続して平坦部１１０ｆ４が配置され、平坦部１１０ｆ４に連続して二つのカム凸部１１０ｆ５が配置されている。
【００６０】
各カム凸部１１０ｆ５は、側面１１０ｆ０と、後方傾斜部１１０ｆ１と、前方傾斜部１１０ｆ３と、後方傾斜部１１０ｆ１及び前方傾斜部１１０ｆ３を接続する段差部１１０ｆ２と、を備えている。側面１１０ｆ０は軸方向に延びており、後方傾斜部１１０ｆ１の後方側の端部に連続している。後方傾斜部１１０ｆ１は後方に向いており、所定の方向に向かって前方に傾斜している。段差部１１０ｆ２は後方傾斜部１１０ｆ１の端部から軸方向に前方に延び、前方傾斜部１１０ｆ３の端部に接続されている。前方傾斜部１１０ｆ３は所定の方向に向かって前方に傾斜している。
【００６１】
カム部１１０ｂは略円筒状であり、その内径及び外径は本体部１１０ａの内径及び外径と等しくなっている。図２２ｂ、２２ｃに示すように、カム部１１０ｂには、周方向に第１の切欠部１１８と、第２の切欠部１２０とが交互に形成されている。なお、第２実施形態のカム部１１０ｂの構成は、第１実施形態のカム部１０ｂの構成と同一であり、第１の切欠部１１８と、第２の切欠部１２０とを備え、第１の切欠部１１８は、軸方向溝部１１８ａ及び案内部１１８ｂを有し、第２の切欠部１２０は縁部１２０ｂと傾斜部１２０ａとを有する。
【００６２】
後端部１１０ｃは、外径が軸筒１０２の内径よりもわずかに大きな前方大径部１１０ｃ１と、前方大径部１１０ｃ１から後方に連続する中間小径部１１０ｃ２と、中間小径部１１０ｃ２から後方に連続し、中間小径部１１０ｃ２よりも大径の後方大径部１１０ｃ３とを含む。前方大径部１１０ｃ１は中間小径部１１０ｃ２よりもわずかに直径が大きく、後方大径部１１０ｃ３は中間小径部１１０ｃ２よりも直径が大きい。
また、後端部１１０ｃには、前方大径部１１０ｃ１及び中間小径部１１０ｃ２にわたって軸方向に延びる切欠部１１０ｃ４が周方向に１８０°の間隔をあけて形成されている。
【００６３】
図２３ａ及び図２３ｂは、図１９に示すノック式筆記具の回転子を示し、図２３ａは斜視図、図２３ｂは正面図である。図２３ａ及び図２３ｂに示すように、回転子１１２は、円筒状の基部１２１と、基部１２１から前方に延びる４本のカム柱１２８と、カム柱１２８の前端に接続された保持部１３０と、を有する。
基部１２１は、円筒状の本体部１２２と、本体部１２２の後端側に接続された後端部１２４と、本体部１２２の先端側に接続された円環状の円環部１２６と、を有する。
【００６４】
本体部１２２は、円筒状に形成されており、本体部１２２の後端部には所定の角度（本実施形態では１８０°）をあけて、回転側カム部１２２ｂが形成されている。回転側カム部１２２ｂは、本体部１２２の外面から半径方向外側に向かって突出しており、前端に傾斜部１２２ｂ１を有する。傾斜部１２２ｂ１は、所定の方向に向かって後方に傾斜している。
【００６５】
後端部１２４は、本体部１２２の後端に連続する環状凹部１２４ａと、環状凹部１２４ａの後端に連続する円錐台状（截頭円錐体状）の円錐台部１２４ｂと、円錐台部１２４ｂの後端に連続する円柱部１２４ｃとを有する。環状凹部１２４ａは、軸方向に同一な円形断面形状であり、環状凹部１２４ａの直径は本体部１２２の直径よりも小さくなっている。円錐台部１２４ｂは、先端側の径が大きい円錐台形状である。円錐台部１２４ｂの先端の径は環状凹部１２４ａの径より大きく、後端の径は、円柱部１２４ｃの径と等しくなっている。
【００６６】
円環部１２６は、本体部１２２の前端部に接続されており、円環状に形成されている。円環部１２６の外径は本体部１２２の外径よりも大きく、保持部１３０の外径よりも小さくなっている。
【００６７】
第２実施形態におけるカム柱１２８及び保持部１３０の構成は第１実施形態におけるカム柱２８及び保持部３０の構成と実質的に同一である。
スプリング部材１１４は、らせん状の金属部材からなるばね部材である。
【００６８】
図２４ａ〜図２４ｃは、図１９に示すノック式筆記具のノック部材を示し、図２４ａは斜視図、図２４ｂは正面図、図２４ｃは軸方向に沿った断面図である。ノック部材１１６は、前部１３２と、前部の後方に連続し、前部１３２よりも外径が大きな後部１３６とを有する。前部１３２並びに後部１３６の外径は、内筒１１０の本体部１１０ａの内径よりもわずかに小さい。ノック部材１１６には、軸方向に貫通する貫通孔１１６ａが形成されている。また、貫通孔１１６ａの先端には半径方向内側に向かって突出する環状の係止部１１６ｂが形成されている。
【００６９】
図２５ａ及び図２５ｂは、図１９に示すノック式筆記具のクリップ部材を示し、図２５ａは斜視図、図２５ｂは正面図である。図２５ａ及び図２５ｂに示すように、クリップ部材１０８は、接続部１０８ａと、接続部１０８ａから前方に軸方向に延びる本体部１０８ｂとを備える。接続部１０８ａは円環状に形成されている。接続部１０８ａの内周面の軸方向中間には、半径方向内側に向かって全周にわたって突出する中間凸部１０８ａ１が形成されている。また、接続部１０８ａの内周面には、前方端部から中間凸部１０８ａ１の後端まで延びる軸方向凸部１０８ａ２が、周方向に１８０°の間隔をあけて形成されている。
【００７０】
図１９及び図２０に示すように、クリップ部材１０８は、接続部１０８ａの後端側から内側に内筒１１０を挿入し、軸方向凸部１０８ａ２を内筒１１０の切欠部１１０ｃ４に嵌め込むとともに、中間凸部１０８ａ１を内筒１１０の前方大径部１１０ｃ１及び後方大径部１１０ｃ３の間の嵌め込むことにより、軸筒１０２の側方に位置するように内筒１１０に固定されている。
【００７１】
図２６ａ、図２６ｂ、図２７ａ、及び、図２７ｂは、図１９に示すノック式筆記具のクリップ部材が取り付けられた出没機構を示す図であり、図２６ａ及び図２７ａは正面図、図２６ｂ及び図２７ｂは軸方向に沿った断面図である。なお、図２６ａ及び図２６ｂは、リフィル部材４の筆先を軸筒１０２内に収容した状態を示し、図２７ａ及び図２７ｂは、リフィル部材４の筆先が軸筒１０２の先端開口１０２ａから突出した状態を示す。
【００７２】
図２６ａ、図２６ｂ、図２７ａ、及び、図２７ｂに示すように、内筒１１０の後端部１１０ｃにはクリップ部材１０８が取り付けられている。内筒１１０の貫通孔には、前端側から回転子１１２の本体部１２２及び後端部１２４が挿入されている。また、内筒１１０の貫通孔には、後端側からスプリング部材１１４が挿入され、さらに、スプリング部材１１４の後方からノック部材１１６が挿入されている。ノック部材１１６の貫通孔には、回転子１１２の後端部１２４が前方から入り込んでいる。
【００７３】
回転子１１２は、基部１２１に形成された円錐台部１２４ｂがノック部材１１６の係止部１１６ｂを超える位置まで、ノック部材１１６内に前方から挿入されている。内筒１１０のカム部１１０ｂと回転子１１２のカム柱１２８とは軸筒１０２の内面に沿っており、同円上に位置している。また、内筒１１０の本体側カム部１１０ｆと、回転子１１２の回転側カム部１２２ｂとは同円上に位置している。
スプリング部材１１４は、前端が内筒１１０の縮径部１１０ｇに当接するとともに、後端がノック部材１１６の後部１３６の前端に当接している。
【００７４】
このような構成により、ノック部材１１６の係止部１１６ｂが、回転子１１２の環状凹部１２４ａに入り込み、前後が回転子１１２の本体部１２２及び円錐台部１２４ｂに挟まれるため、ノック部材１１６と回転子１１２の軸方向の相対移動が拘束される。また、これらノック部材１１６及び回転子１１２は、内筒１１０に対して軸方向に移動可能であるとともに、ノック部材１１６がスプリング部材１１４により後方に向けて付勢される。すなわち、回転子１１２の基部１２１がノック部材１１６により保持されるとともに、回転側カム部１２２ｂは、本体側カム部１１０ｆに対して相対的に移動することができる。
【００７５】
そして、内筒１１０の本体部１１０ａ及びカム部１１０ｂが軸筒１０２の後端開口１０２ｂ内に収容され、軸筒１０２の螺合部１０２ｃと内筒１１０の螺合部１１０ｅとが螺合することにより、内筒１１０が軸筒１０２の後端部に取り付けられている。
【００７６】
また、リフィル部材４の後端部は、回転子１１２の円環状の保持部１３０内に挿入され、円環部１２６の前面に当接している。これにより、リフィル部材４は回転子１１２により繰出及び引き戻し可能に保持されている。
【００７７】
次に、本実施形態のノック式筆記具による筆先の出没操作について説明する。
図２８〜図４１は、図１９に示すノック式筆記具による筆先の出没操作を説明するための図である。図２８〜図４１は、回転子１１２の回転側カム部１２２ｂ及びカム柱１２８と、内筒１１０のカム部１１０ｂ及び本体側カム部１１０ｆと、を展開して示している。なお、図２８〜図４１において、回転子１１２の回転側カム部１２２ｂ及びカム柱１２８は実線で、内筒１１０のカム部１１０ｂ及び本体側カム部１１０ｆは破線で示している。
【００７８】
図２８は、ノック式筆記具のリフィル部材４の筆先部４ｂが軸筒１０２内に収容された状態（筆先収容状態）を示す。図２８に示すように、ノック部材１１６がスプリング部材１１４により後方に付勢されることにより、ノック部材１１６とともに回転子１１２が後方に付勢され、回転子１１２のカム柱１２８が内筒１１０の第１の切欠部１１８内に入り込み、カム柱１２８の後端が第１の切欠部１１８の底部に当接している。
【００７９】
まず、図２８に示す状態から、リフィル部材４の筆先部４ｂを進出させるためには、ノック部材１１６を前方に押し込む。図２９に示すように、ノック部材１１６を前方に押し込むと、これと連動して回転子１１２が前方に進出する。そして、図２９に示すように、カム柱１２８が、内筒１１０の第１の切欠部１１８から離脱する。また、カム柱１２８が第１の切欠部１１８から離脱した直後に、回転子１１２の回転側カム部１２２ｂの傾斜部１２２ｂ１が内筒１１０の本体側カム部１１０ｆの後方傾斜部１１０ｆ１と当接する。
【００８０】
次に、図２９に示す状態から、さらに、ノック部材１１６を前方に押し込むと、これと連動して回転子１１２が前方に進出する。この際、回転子１１２の回転側カム部１２２ｂの傾斜部１２２ｂ１と、内筒１１０の本体側カム部１１０ｆの後方傾斜部１１０ｆ１とが当接しているため、回転子１１２が回転する。
【００８１】
そして、図３０に示すように、回転側カム部１２２ｂの傾斜部１２２ｂ１の後方側端部（図３０の右側の端部）が、本体側カム部１１０ｆの後方傾斜部１１０ｆ１の前方側端部（図３０の左側の端部）まで到達すると、回転子１１２が段差部１１０ｆ２に沿って後方（図３０の上方）に向かって押し戻される。これにより、図３１に示すように、回転側カム部１２２ｂの傾斜部１２２ｂ１が、本体側カム部１１０ｆの前方傾斜部１１０ｆ３に当接する。この際、使用者はノック部材１１６を介してクリック感（ノック感）を感じることができる。
【００８２】
さらに、図３１に示す状態から、さらに、ノック部材１１６を前方に押し込むと、これと連動して回転子１１２が前方に進出する。この際、回転子１１２の回転側カム１２２ｂの傾斜部１２２ｂ１と、内筒１１０の本体側カム部１１０ｆの前方傾斜部１１０ｆ３とが当接しているため、回転子１１２が回転する。そして、図３２に示すように、回転側カム部１２２ｂの側面が、本体側カム部１１０ｆの側面１１０ｆ０に当接すると、それ以上、ノック部材１１６を押し込んでも回転子１１２は回転しなくなる。
【００８３】
図３２に示す状態から、使用者がノック部材１１６を解放すると、ノック部材１１６及び回転子１１２がスプリング部材１１４により後方に付勢される。これにより、図３３に示すように、回転子１１２が後方に移動し、カム柱１２８の後端面が内筒１１０のカム部１１０ｂの傾斜部１２０ａに当接する。さらに、回転子１１２が後方に移動することにより、カム柱１２８の後端面と、内筒１１０のカム部１１０ｂの傾斜部１２０ａとが当接しているため、回転子１１２が回転する。そして、図３４に示すように、カム柱１２８の側面が内筒１１０のカム部１１０ｂの縁部１２０ｂと当接する。以上の操作により、リフィル部材４の筆先部４ｂが軸筒２の先端開口２ａから突出した状態で保持された状態（筆先進出状態）になる。
【００８４】
次に、リフィル部材４の筆先部４ｂを後退させるためには、図３４に示す状態からノック部材１１６を前方に押し込む。図３５に示すように、ノック部材１１６を前方に押し込むと、これと連動して回転子１１２が前方に進出する。そして、図３５に示すように、カム柱１２８が、内筒１１０の第２の切欠部１２０から離脱する。また、カム柱１２８が第２の切欠部１２０から離脱した直後に、回転子１１２の回転側カム部１２２ｂの傾斜部１２２ｂ１が内筒１１０の本体側カム部１１０ｆの後方傾斜部１１０ｆ１と当接する。
【００８５】
次に、図３５に示す状態から、さらに、ノック部材１１６を前方に押し込むと、これと連動して回転子１１２が前方に進出する。この際、回転子１１２の回転側カム部１２２ｂの傾斜部１２２ｂ１と、内筒１１０の本体側カム部１１０ｆの後方傾斜部１１０ｆ１とが当接しているため、回転子１１２が回転する。
【００８６】
そして、図３６に示すように、回転側カム部１２２ｂの傾斜部１２２ｂ１の後方側端部（図３６の右側の端部）が、本体側カム部１１０ｆの後方傾斜部１１０ｆ１の前方側端部（図３６の左側の端部）まで到達すると、回転子１１２が段差部１１０ｆ２に沿って後方に向かって押し戻される。これにより、図３７に示すように、回転側カム部１２２ｂの傾斜部１２２ｂ１が、本体側カム部１１０ｆの前方傾斜部１１０ｆ３に当接する。この際、使用者はノック部材１１６を介してクリック感（ノック感）を感じることができる。
【００８７】
さらに、図３７に示す状態から、さらに、ノック部材１１６を前方に押し込むと、これと連動して回転子１１２が前方に進出する。この際、回転子１１２の回転側カム部１２２ｂの傾斜部１２２ｂ１と、内筒１１０の本体側カム部１１０ｆの前方傾斜部１１０ｆ３とが当接しているため、回転子１１２が回転する。そして、図３８に示すように、回転側カム部１２２ｂが、内筒１１０の切欠部１１０ｇ１まで到達すると、それ以上、ノック部材１１６を押し込んでも回転子１１２は回転しなくなる。
【００８８】
図３８に示す状態から、使用者がノック部材１１６を解放すると、ノック部材１１６及び回転子１１２がスプリング部材１１４により後方に付勢される。これにより、図３９に示すように、回転子１１２が後方に移動し、カム柱１２８の後端面が内筒１１０のカム部１１０ｂの案内部１１８ｂに当接する。さらに、回転子１１２が後方に移動することにより、カム柱１２８の後端面と、カム柱１２８の後端面と内筒１１０のカム部１１０ｂの案内部１１８ｂとが当接しているため、回転子１１２が回転する。そして、図４０に示すように、カム柱１２８の前方側（図４０の右側）端部が内筒１１０の案内部１１８ｂの後方側端部まで到達すると、ノック部材１１６及び回転子１１２がスプリング部材１１４により後方に付勢され、図４１に示すように、カム柱１２８が内筒１１０の第１の切欠部１１８の軸方向溝部１１８ａに入り込む。これにより、ノック式筆記具のリフィル部材４の筆先部４ｂが軸筒１０２内に収容された状態（筆先収容状態）となる。
【００８９】
本実施形態によれば、第１実施形態で奏された効果に加えて、以下の効果が奏される。
本実施形態では、本体側カム部１１０ｆが、段差部１１０ｆ２を有する。これにより、使用者がノック部材１１６を押圧した際に、ノック感を感じることができる。
また、本実施形態では、スプリング部材１１４が内筒１１０内に配置され、内筒１１０の縮径部１１０ｇとノック部材１１６の後部１３６の前端との間に挟まれている。このため、例えば、軸筒１０２を透明な部材で製造したとしても、外観上、スプリング部材１１４を見えなくすることができる。
【００９０】
また、本実施形態によれば、内筒１１０のカム部１１０ｂ及び本体側カム部１１０ｆと、回転子１１２のカム柱１２８及び回転側カム部１２２ｂのみにより、筆先収容状態と、筆先前進状態とを切り替えることができ、軸筒等の部材が切り替えに関係しないため、各部材の位置関係に制限を受けにくく、設計の自由度が上がる。
【００９１】
なお、本実施形態において、本体側カム部１１０ｆが、後方傾斜部１１０ｆ１と、前方傾斜部１１０ｆ３と、後方傾斜部１１０ｆ１及び前方傾斜部１１０ｆ３を接続する段差部１１０ｆ２と、を備えた場合について説明したが、回転側カム部１２２ｂに段差部を設けてもよい。さらに、他の実施形態においても本体側カム部又は回転側カム部に段差部を設けてもよい。
【００９２】
＜第３実施形態＞
次に、本発明の第３実施形態を、図面を参照しながら説明する。なお、以下の説明において、第１及び第２実施形態と同様の構成については、同じ符号を付して詳細な説明を省略する。図４２は、本発明の第３実施形態によるノック式筆記具を示す軸方向に沿った断面図である。本発明の第３実施形態のノック式筆記具１５１は、第２実施形態とスプリング部材１５４の配置が異なり、その他の構成については第２実施形態と同様である。図４２に示すように、第３実施形態のノック式筆記具１５１では、スプリング部材１５４は、軸筒１０２の内部においてリフィル部材４の筆先部４ｂの周囲に配置されている。そして、スプリング部材１５４は収縮した状態で、リフィル部材４の筆先部４ｂと、軸筒１０２の先端部との間に介装されている。このような構成により、回転子１１２及びノック部材１１６がリフィル部材４を介して後方に付勢されるため、第２実施形態と同様にリフィル部材４の筆先部４ｂを軸筒２の先端から出没させることができる。
第３実施形態では、第２実施形態における、スプリング部材が外観上見えなくなるとの作用効果以外の全ての作用効果が奏される。
【００９３】
＜第４実施形態＞
以下、本発明の第４実施形態を、図面を参照しながら説明する。なお、以下の説明において、第１〜第３実施形態と同様の構成については、同じ符号を付して詳細な説明を省略する。
図４３は、本発明の第４実施形態によるノック式筆記具を示す軸方向に沿った断面図である。また、図４４は、図４３に示すノック式筆記具の分解斜視図である。図４３及び図４４に示すように、本実施形態のノック式筆記具２０１は、円筒状の軸筒２０２と、軸筒２０２内に収容されたリフィル部材４と、軸筒２０２の後端部に設けられた出没機構２０６と、出没機構２０６に接続されたクリップ部材２０８と、を備える。軸筒２０２と、リフィル部材４と、出没機構２０６と、により筆記具本体が構成される。
【００９４】
図４５ａ及び図４５ｂは、図４３に示すノック式筆記具の軸筒を示し、図４５ａは軸方向に沿った断面図であり、図４５ｂは図４５ａのｂ部の拡大図である。図４５ａ及び図４５ｂに示すように、軸筒２０２は先端部が先細り状である円筒形状に形成されている。軸筒２０２の先端部には先端開口２０２ａが形成されており、後端部には後端開口２０２ｂが形成されている。軸筒２０２の後端部の内面には螺合部２０２ｃが形成されている。また、軸筒２０２の中間部には本体側カム部２０２ｄが形成されており、本体側カム部２０２ｄより後端側の軸筒２０２の内径は、先端側の内径よりも大きくなっている。
【００９５】
本体側カム部２０２ｄは、周方向に配置され、後方に向かって突出する複数の凸部２０２ｆが形成されてなる。隣接する凸部２０２ｆの間には、後端側に向くような周方向面部２０２ｆ３が設けられている。各凸部２０２ｆは、周方向面部２０２ｆ３の一端から軸方向後方に延びる縁部２０２ｆ２と、縁部２０２ｆ２の後端部から次の周方向面部２０２ｆ３の端部まで延びる傾斜部２０２ｆ１とを有する。
【００９６】
図４３及び図４４に示すように、出没機構２０６は、内筒２１０と、回転子２１２と、スプリング部材２１４と、ノック部材２１６とを備える。
図４６ａ〜図４６ｄは、図４３に示すノック式筆記具の内筒を示し、図４６ａは斜視図、図４６ｂは正面図、図４６ｃは軸方向断面図、図４６ｄは下面図である。図４６ａ〜図４６ｄに示すように、内筒２１０は、円筒状の本体部２１０ａと、本体部２１０ａから先端側に延びるカム部２１０ｂと、本体部２１０ａの後端側に接続された後端部２１０ｃと、後端部２１０ｃから側方に延びるクリップ保持部２１０ｄとを備える。これら、本体部２１０ａと、カム部２１０ｂと、後端部２１０ｃと、クリップ保持部２１０ｄとは一体に成形されている。
【００９７】
本体部２１０ａは円筒状であり、本体部２１０ａの外径は軸筒２０２の内径と略等しくなっている。本体部２１０ａの外周面には螺合部２１０ｅが形成されている。また、本体部２１０ａの前方の端部には、内径が小さくなるような縮径部２１０ｇが設けられている。
【００９８】
カム部２１０ｂは略円筒状であり、その内径及び外径は本体部２１０ａの内径及び外径と等しくなっている。カム部２１０ｂには、周方向に第１の切欠部２１８と、第２の切欠部２２０とが交互に形成されている。なお、第３実施形態のカム部２１０ｂの構成は、第１実施形態のカム部１０ｂの構成と同一であり、第１の切欠部２１８と、第２の切欠部２２０とを備え、第１の切欠部２１８は、軸方向溝部２１８ａ及び案内部２１８ｂを有し、第２の切欠部２２０は縁部２２０ｂと傾斜部２２０ａとを有する。
後端部２１０ｃは、外径が軸筒２の外径よりもわずかに小さい円筒状に形成されている。
【００９９】
クリップ保持部２１０ｄは、後端部２１０ｃから半径方向外方、かつ、前方に延びる接続部２１０ｄ１と、接続部２１０ｄ１の前端から前方に延びる本体部２１０ｄ２と、本体部２１０ｄ２の半径方向内面に形成された保持部２１０ｄ３とを有する。保持部２１０ｄ３は、接続部２１０ｄ１から前方に向かって伸びており、全長にわたり、軸方向に垂直な面の断面形状が丁字状を呈している。
【０１００】
図４７ａ〜図４７ｃは、図４３に示すノック式筆記具の回転子を示し、図４７ａは斜視図、図４７ｂは正面図、図４７ｃは前部の展開図である。図４７ａ〜図４７ｃに示すように、回転子２１２は、円筒状の基部２２１と、基部２２１から前方に延びる４本のカム柱２２８と、カム柱２２８の前端に接続された保持部２３０と、を有する。
基部２２１は、円筒状の本体部２２２と、本体部２２２の後端側に接続された後端部２２４と、本体部２２２の先端側に接続された円環状の円環部２２６と、を有する。
【０１０１】
本体部２２２は、円筒状に形成されている。
【０１０２】
後端部２２４は、本体部２２２の後端に連続する後述するノック部材２１６より小径の中間円柱部２２４ａと、中間円柱部２２４ａの後端に連続する環状凹部２２４ｂと、環状凹部２２４ｂの後端に連続する円錐台状（截頭円錐体状）の円錐台部２２４ｃと、円錐台部２２４ｃの後端に連続する円柱部２２４ｄとを有する。中間円柱部２２４ａ及び円柱部２２４ｄは直径が略等しい円柱状の部位である。環状凹部２２４ｂは、軸方向に同一な円形断面形状であり、直径が中間円柱部２２４ａよりも小さい。円錐台部２２４ｃは、先端側の径が大きい円錐台形状であり、前端の直径は環状凹部２２４ｂの直径よりも大きく、後端の直径は、円柱部２２４ｄの直径と等しくなっている。
【０１０３】
円環部２２６は、本体部２２２の前端部に接続されており、円環状に形成されている。円環部２２６の外径は本体部２２２の外径よりも大きく、保持部２３０の外径よりも小さくなっている。
第４実施形態におけるカム柱２２８の構成は第１実施形態におけるカム柱２８の構成と実質的に同一である。
【０１０４】
保持部２３０は円環状に形成されており、カム柱２２８の前端部に接続されている。保持部２３０の前面には周方向に沿って、回転側カム部２３０ａが形成されている。回転側カム部２３０ａは、９０°間隔で形成され、先端に向かって突出する凸部２３０ａ０を有する。各凸部２３０ａ０は、軸方向に延びる縁部２３０ａ１と、周方向に傾斜する傾斜部２３０ａ２とを有する。各凸部２３０ａ０の間には周方向に延びる平坦部２３０ａ３が形成されている。
スプリング部材２１４は、らせん状の金属部材からなるばね部材である。
【０１０５】
図４８ａ〜図４８ｃは、図４３に示すノック式筆記具のノック部材を示し、図４８ａは斜視図、図４８ｂは正面図、図４８ｃは軸方向に沿った断面図である。ノック部材２１６は、前部２３２と、前部２３２の後方に連続し、前部２３２よりも外径が大きな後部２３６とを有する。前部２３２及び後部２３６の外径は、内筒２１０の本体部２１０ａの内径よりもわずかに小さい。ノック部材２１６には、軸方向に貫通する貫通孔２１６ａが形成されている。また、貫通孔２１６ａの中間部には半径方向内側に向かって突出する環状の係止部２１６ｂが形成されている。
【０１０６】
図４９ａ及び図４９ｂは、図４３に示すノック式筆記具のクリップ部材を示し、図４９ａは斜視図、図４９ｂは正面図である。図４９ａ及び図４９ｂに示すように、クリップ部材２０８は、接続部２０８ａと、接続部２０８ａから前方に軸方向に延びる軸部２０８ｂと、軸部２０８ｂから側方に延びる平面状の平坦部２０８ｅと、を備える。接続部２０８ａには、軸方向に延びる切欠部２０８ｃが形成されている。また、切欠部２０８ｃの径方向外方の両縁には、切欠部２０８ｃの中心に向かって突出する突出部２０８ｄが形成されている。図４３に示すように、内筒２１０の保持部２１０ｄ３がクリップ部材２０８の切欠部２０８ｃに収容されることにより、クリップ部材２０８は軸筒２０２の側方に位置するように内筒２１０に固定されている。クリップ部材２０８は、平坦部２０８ｅに貫通孔を形成し、レンズユニットを取り付け可能に形成し、レンズユニットを通じて文字を拡大して読むことを可能にしたり、熱可塑性エラストマーで形成して、熱変色性筆記具とした場合に摩擦具として使用したりすることができる。
【０１０７】
図５０は、図４３に示すノック式筆記具のクリップ部材の後端部を拡大して示す軸方向に沿った断面図である。
図５０に示すように、組み立て状態において、軸筒２０２の螺合部２０２ｃに内筒２１０の螺合部２１０ｅが螺合されており、軸筒２０２の後端に内筒２１０が取り付けられている。また、内筒部２１０のクリップ保持部２１０ｄにクリップ部材２０８が取り付けられている。
【０１０８】
内筒２１０の貫通孔には、前端側から回転子２１２の本体部２２２及び後端部２２４が挿入されている。また、内筒２１０の貫通孔には、後端側からスプリング部材２１４が挿入され、さらに、スプリング部材２１４の後方からノック部材２１６が挿入されている。ノック部材２１６の貫通孔には、回転子２１２の後端部２２４が前方から入り込んでいる。
【０１０９】
回転子２１２は、基部２２１に形成された円錐台部２２４ｃがノック部材２１６の係止部２１６ｂを超える位置まで、ノック部材２１６内に前方から挿入されており、ノック部材２１６の係止部２１６ｂは、回転子２１２の環状凹部２２４ｂ内に位置している。
【０１１０】
また、内筒２１０のカム部２１０ｂと回転子２１２のカム柱２２８とは軸筒２０２の内面に沿っており、同円上に位置している。また、回転子２１２の回転側カム部２３０ａと、軸筒２０２の本体側カム部２０２ｄとは同心円上に位置している。
スプリング部材２１４は、回転子１１２の基部２２１の外周に配置され、内筒２１０の縮径部２１０ｇとノック部材２１６の後部２３６との間に収縮された状態で保持されている。
【０１１１】
このような構成により、ノック部材２１６の係止部２１６ｂが、回転子２１２の環状凹部２２４ｂに入り込み、前後が回転子２１２の中間円柱部２２４ａ及び円錐台部２２４ｃに挟まれるため、ノック部材１１６と回転子１１２の軸方向の相対移動が拘束される。また、これらノック部材２１６及び回転子２１２は、内筒２１０及び軸筒２０２に対して軸方向に移動可能であるとともに、ノック部材２１６がスプリング部材２１４により後方に向けて付勢される。すなわち、回転子２１２の基部２２１がノック部材２１６により保持されるとともに、回転側カム部２３０ａは、本体側カム部２０２ｄに対して相対的に移動することができる。
【０１１２】
また、リフィル部材４の後端部は、回転子２１２の円環状の保持部２３０内に挿入され、円環部２２６の前面に当接している。これにより、リフィル部材４は回転子２１２により繰出及び引き戻し可能に保持されている。
【０１１３】
次に、本実施形態のノック式筆記具による筆先の出没操作について説明する。
図５１〜図６０は、図４３に示すノック式筆記具による筆先の出没操作を説明するための図である。図５１〜図６０は、内筒２１０のカム部２１０ｂと、回転子２１２のカム柱２２８及び回転側カム部２３０ａと、軸筒２０２の本体側カム部２０２ｄと、を展開して示している。なお、図５１〜図６０において、回転子２１２のカム柱２２８及び回転側カム部２３０ａは実線で示し、内筒２１０のカム部２１０ｂは破線で示し、軸筒２０２の本体側カム部２０２ｄは一点鎖線で示している。
【０１１４】
図５１は、ノック式筆記具のリフィル部材４の筆先部４ｂが軸筒２０２内に収容された状態（筆先収容状態）を示す。図５１に示すように、ノック部材２１６がスプリング部材２１４により後方に付勢されることにより、ノック部材２１６とともに回転子２１２が後方に付勢され、回転子２１２のカム柱２２８が内筒２１０の第１の切欠部２１８内に入り込み、カム柱２２８の後端が第１の切欠部２１８の底部に当接している。
【０１１５】
まず、図５１に示す状態から、リフィル部材４の筆先部４ｂを進出させるためには、ノック部材２１６を前方に押し込む。ノック部材２１６を前方に押し込むと、これと連動して回転子２１２が前方に進出する。そして、図５２に示すように、カム柱２２８が、内筒２１０の第１の切欠部２１８から離脱する。また、カム柱２２８が第１の切欠部２１８から離脱した後に、回転子２１２の回転側カム部２３０ａの傾斜部２３０ａ２が、軸筒２０２の本体側カム部２０２ｄの傾斜部２０２ｆ１と、当接する。
【０１１６】
次に、図５２に示す状態から、さらに、ノック部材２１６を前方に押し込むと、これと連動して回転子２１２が前方に進出する。この際、回転子２１２の回転側カム部２３０ａの傾斜部２３０ａ２が、軸筒２０２の本体側カム部２０２ｄの傾斜部２０２ｆ１と当接しているため、回転子２１２が回転する。そして、図５３に示すように、回転側カム部２３０ａの傾斜部２３０ａ２の先端部が、本体側カム部２０２ｄの傾斜部２０２ｆ１の先端部まで到達すると、ノック部材２１６をそれ以上押し込むことができなくなる。
【０１１７】
図５３に示す状態から、使用者がノック部材２１６を解放すると、ノック部材２１６及び回転子２１２がスプリング部材２１４により後方に付勢される。これにより、図５４に示すように、回転子２１２が後方に移動し、カム柱２２８の後端面が内筒２１０のカム部２１０ｂの傾斜部２２０ａに当接する。さらに、回転子２１２が後方に移動することにより、カム柱２２８の後端面と、内筒２１０のカム部２１０ｂの傾斜部２２０ａとが当接しているため、回転子２１２が図５４の左方向に回転する。そして、図５５に示すように、カム柱２２８の側面が内筒２１０のカム部２１０ｂの縁部２２０ｂと当接する。以上の操作により、リフィル部材４の筆先部４ｂが軸筒２０２の先端開口２０２ａから突出した状態で保持された状態（筆先進出状態）になる。
【０１１８】
次に、リフィル部材４の筆先部４ｂを後退させるためには、図５５に示す状態からノック部材２１６を前方に押し込む。ノック部材２１６を前方に押し込むと、これと連動して回転子２１２が前方に進出する。そして、図５６に示すように、カム柱２２８が、内筒２１０の第２の切欠部２２０から離脱する。また、カム柱２２８が第２の切欠部２２０から離脱した後に、回転子２１２の回転側カム部２３０ａの傾斜部２３０ａ２が、軸筒２０２の本体側カム部２０２ｄの傾斜部２０２ｆ１と、当接する。
次に、図５６に示す状態から、さらに、ノック部材２１６を前方に押し込むと、これと連動して回転子２１２が前方に進出する。この際、回転子２１２の回転側カム部２３０ａの傾斜部２３０ａ２が、軸筒２０２の本体側カム部２０２ｄの傾斜部２０２ｆ１と当接しているため、回転子２１２が回転する。そして、図５７に示すように、回転側カム部２３０ａの傾斜部２３０ａ２の先端部が、本体側カム部２０２ｄの傾斜部２０２ｆ１の先端部まで到達すると、ノック部材２１６をそれ以上押し込むことができなくなる。
【０１１９】
図５７に示す状態から、使用者がノック部材２１６を解放すると、ノック部材２１６及び回転子２１２がスプリング部材２１４により後方に付勢される。これにより、図５８に示すように、回転子２１２が後方に移動し、カム柱２２８の後端面が内筒２１０のカム部２１０ｂの案内部２１８ｂに当接する。さらに、回転子２１２が後方に移動することにより、カム柱２２８の後端面と、内筒２１０のカム部２１０ｂの案内部２１８ｂとが当接しているため、回転子２１２が図５８の左方向に回転する。そして、図５９に示すように、カム柱２２８の前方側端部が内筒２１０の案内部２１８ｂの後方側端部まで到達すると、ノック部材２１６及び回転子２１２がスプリング部材２１４により後方に付勢され、図６０に示すように、カム柱２２８が内筒２１０の第１の切欠部２１８の軸方向溝部２１８ａに入り込む。以上の操作により、ノック式筆記具のリフィル部材４の筆先部４ｂが軸筒１０２内に収容された状態（筆先収容状態）となる。
第４実施形態によっても、第１及び第２実施形態と同様の効果が奏される。
【０１２０】
＜第５実施形態＞
以下、本発明の第５実施形態による筆記具について図面を参照しながら詳細に説明する。
図６１は、本発明の第５実施形態による筆記具を示す斜視図である。また、図６２ａは、図６１に示す筆記具の側面図であり、図６２ｂは軸方向に沿った断面図である。図６１、図６２ａ、図６２ｂに示すように、本実施形態のノック式筆記具３０１は、円筒状の軸筒３０２と、軸筒３０２内に収容されたリフィル部材３０４と、軸筒３０２の後端部に設けられた出没機構３０６と、出没機構３０６に接続されたクリップ部材３０８と、を備える。軸筒３０２と、リフィル部材３０４と、出没機構３０６と、により筆記具本体が構成される。
【０１２１】
図６３ａ及び図６３ｂは、図６１に示す筆記具の軸筒を示し、図６３ａは軸方向断面図であり、図６３ｂは後端部の斜視図である。図６３ａ及び図６３ｂに示すように、軸筒３０２は先端部が先細り状である円筒形状に形成されている。軸筒３０２の先端部には先端開口３０２ａが形成されており、後端部には後端開口３０２ｂが形成されている。軸筒３０２の後端部の内面には螺合部（螺条）３０２ｃが形成されている。
また、軸筒３０２の中間部には段部３０２ｄが形成されており、段部３０２ｄより後端側の軸筒３０２の内径は、先端側の内径よりも大きくなっている。軸筒３０２の後縁には、所定の角度位置に三角形状の切欠部３０２ｅが形成されている。また、切欠部３０２ｅの前方には、出没機構３０６に構成される内筒３１０を螺合による取り付け時に突部３１０ｄ５が嵌る際に弾性変形するための貫通孔３０２ｆが形成されている。なお、本実施形態では、軸筒３０２のクリップを接続するための接続機構に当たる部分には突出部が形成されていない。
【０１２２】
図６４ａ〜図６４ｄは、図６１に示すノック式筆記具の内筒を示し、図６４ａは斜視図、図６４ｂは正面図、図６４ｃは軸方向に沿った断面図、図６４ｄは下面図である。図６４ａ〜図６４ｄに示すように、内筒３１０は、円筒状の本体部３１０ａと、本体部３１０ａから先端側に延びるカム部３１０ｂと、本体部３１０ａの後端側に接続された後端部３１０ｃと、後端部３１０ｃから側方に延びるクリップ保持部３１０ｄとを備える。これら、本体部３１０ａと、カム部３１０ｂと、後端部３１０ｃと、クリップ保持部３１０ｄとは一体に成形されている。
【０１２３】
本体部３１０ａは円筒状であり、本体部３１０ａの外径は軸筒２の内径と略等しくなっている。本体部３１０ａの外周面には螺合部（螺条）３１０ｅが形成されている。また、本体部３１０ａの内周面には、対向する位置に１８０度の角度間隔で、軸方向に延びる軸方向突部３１０ｆが形成されている。
【０１２４】
カム部３１０ｂは略円筒状であり、その内径及び外径は本体部３１０ａの内径及び外径と等しくなっている。図６４ａに示すように、カム部３１０ｂには、周方向に第１の切欠部３１８と、第２の切欠部３２０とが交互に形成されている。第１の切欠部３１８は、先端縁から軸方向後方に延びる軸方向溝部３１８ａと、軸方向溝部３１８ａに時計回り（図６４ｂの右方向）に連続して形成された案内部３１８ｂとを有する。軸方向溝部３１８ａは、一定の周方向幅で軸方向に延びる溝であり、第２の切欠部３２０よりも後方へ延びている。案内部３１８ｂは、周面で見て、時計回りに切込深さ（内筒の先端縁からの距離）が小さくなるような三角形状に形成されている。第２の切欠部３２０は、周面で見て、時計回りに切込深さが小さくなるような三角形状に形成されている。第２の切欠部３２０の最大切込深さは、第１の切欠部３１８の軸方向溝部３１８ａの切込深さよりも小さく、案内部３１８ｂの最大切込深さよりも大きくなっている。第２の切欠部３２０の反時計回り（図６４ｂの左方向）端部の位置は、隣接する第１の切欠部３１８の案内部３１８ｂの時計回り端部の位置と一致している。また、第２の切欠部３２０の時計回り端部の位置は、隣接する第１の切欠部３１８の軸方向溝部３１８ａの反時計回り端部の位置と一致している。
後端部３１０ｃは、外径が軸筒３０２の外径よりもわずかに小さい円筒状に形成されている。
【０１２５】
クリップ保持部３１０ｄは、後端部３１０ｃから半径方向外方、かつ、前方に延びる接続部３１０ｄ１と、接続部３１０ｄ１の前端から前方に延びる本体部３１０ｄ２と、本体部３１０ｄ２の半径方向内面に形成された第１の保持部３１０ｄ３と、第１の保持部３１０ｄ３に連続して形成された第２の保持部３１０ｄ４と、を有する。第１の保持部３１０ｄ３は、本体部３１０ｄ２の内面に立設された軸方向に延びる基部３１０ｄ３ａと、基部３１０ｄ３ａの半径方向内側に形成された拡幅部３１０ｄ３ｂとを備え、軸方向に垂直な面の断面形状が丁字状を呈している。第２の保持部３１０ｄ４は、第１の保持部３１０ｄ３の拡幅部３１０ｄ３ｂの幅と等しくなっている。第２の保持部３１０ｄ４の先端側（図６４ｂの下側）の面には突部３１０ｄ５が形成されている。
【０１２６】
図６５ａ及び図６５ｂは、図６１に示すノック式筆記具の回転子を示し、図６５ａは斜視図、図６５ｂは正面図である。図６５ａ及び図６５ｂに示すように、回転子３１２は、円筒状の基部３２１と、基部３２１から前方に延びる４本のカム柱３２８と、カム柱３２８の前端に接続された保持部３３０と、を有する。
基部３２１は、円筒状の本体部３２２と、本体部３２２の後端側に接続された円環状の後端部３２４と、本体部３２２の先端側に接続された円環状の円環部３２６と、を有する。
【０１２７】
本体部３２２は、円筒状に形成されており、外径が、後述するノック部材３１６の前部の内径よりもわずかに小さくなっている。本体部３２２の後端部には後方に向かって縮径する縮径部３２２ａを有する。
【０１２８】
後端部３２４は、本体部３２２の後端に連続する円柱部３２４ａと、円柱部３２４ａの後端に連続する円錐台状（截頭円錐体状）の円錐台部３２４ｂと、円錐台部３２４ｂの後端に連続する表示部３２４ｃとを有する。円柱部３２４ａは、軸方向に同一な円形断面形状である。円柱部３２４ａの外径は、ノック部材３１６の後部３３６の内径よりもわずかに小さくなっている。円錐台部３２４ｂは、先端側の径が大きい円錐台形状である。円錐台部３２４ｂの後端の径は、円柱部３２４ａ及び表示部３２４ｃの径と略等しくなっている。表示部３２４ｃは、円錐台部３２４ｂの後端から後方に延びる円柱状の部位である。表示部３２４ｃには軸方向に延びる複数の溝が形成されている。
【０１２９】
円環部３２６は、本体部３２２の前端部に接続されており、円環状に形成されている。円環部３２６の外径は本体部３２２の外径よりも大きく、保持部３３０の外径よりも小さくなっている。円環部３２６の後方の表面には回転側カム部３２６ｂが形成されている。回転側カム部３２６ｂは、周方向に９０度間隔で形成された４つのカム突部３２６ａを含む。カム突部３２６ａは、後方に向かって突出する二等辺三角形状になっている。
【０１３０】
カム柱３２８は、軸方向に垂直な面で円弧状の断面形状を有し、基部３２１の円環部３２６の径方向外周面に接続され、前方に向かって延びている。カム柱３２８は、周方向に９０度間隔で取り付けられている。カム柱３２８は、円環部３２６に形成されたカム突部３２６ａの半分の周方向幅を有する。各カム柱３２８は、円環部３２６のカム突部３２６ａの図６５ｂの右半部の外面に接続されている。カム柱３２８の後端面は、円環部３２６のカム突部３２６ａの時計回り方向の半部の後端面と面一になっている。すなわち、カム柱３２８の後端面は、時計回りに後方への突出高さが低くなるような傾斜部に形成されている。
【０１３１】
保持部３３０は円環状に形成されている。保持部３３０の内径及び外径はカム柱３２８の内径及び外径と等しくなっている。
スプリング部材３１４は、らせん状の金属部材からなるばね部材である。
【０１３２】
図６６ａ〜図６６ｃは、図６１に示すノック式筆記具のノック部材を示し、図６６ａは斜視図、図６６ｂは正面図、図６６ｃは軸方向に沿った断面図である。ノック部材３１６は、前部３３２と、前部の後方に連続する中間部３３４と、中間部３３４の後方に連続する後部３３６とを有する。
前部３３２は、少なくとも前方に開口する円柱状の内部空間が形成され、一対の円弧状断面の壁面により形成されている。前部３３２の外径は、内筒３１０の本体部３１０ａの内径よりもわずかに小さい。また、前部３３２の内径は、ノック部材３１６の本体部３２２の外径よりもわずかに大きい。前部３３２には、軸方向に延び前方に開口し、後方に所定の長さ延びる一対の軸方向溝部３３２ａが、周方向に１８０度の間隔で形成されている。また、前部３３２の前端部の端面には本体側カム部３３２ｂが形成されている。本体側カム部３３２ｂは、一対の軸方向溝部３３２ａの間に形成された、それぞれ周方向に並ぶ３つの三角形状の突部３３２ｂ１、３３２ｂ２、３３２ｂ３を含む。後述するように、ノック部材３１６の本体側カム部３３２ｂと、回転子３１２の回転側カム部３２６ｂとにより、ノック部材３１６を押し込んだ際に回転子３１２が所定の角度だけ回転される。
【０１３３】
中間部３３４は円環状に形成されており、内面に円環状に突出する係止部３３４ｂが形成されている。係止部３３４ｂの前部は、好ましくは、図６６ｃに示すように、後方に向かって縮径するような傾斜部が形成されていることが好ましい。
後部３３６は円筒状に形成されている。また、外周面の対向する部分が扁平に形成されている。
【０１３４】
図６１に示すように、ノック部材３１６は、ノック部材３１６の軸方向溝部３３２ａ内に内筒３１０の軸方向突部３１０ｆが位置するように、後方から内筒３１０内に挿入されている。また、回転子３１２は、基部３２１に形成された円錐台部３２４ｂがノック部材３１６の係止部３３４ｂを超える位置まで、ノック部材３１６内に前方から挿入されている。内筒３１０のカム部３１０ｂと回転子３１２のカム柱３２８とは軸筒３０２の内面に沿っており、同円上に位置している。
【０１３５】
このような構成により、ノック部材３１６は、内筒３１０に対して回転が拘束されるとともに、内筒３１０に対して軸方向に相対移動可能である。また、回転子３１２はノック部材３１６に対して回転可能であるとともに、ノック部材３１６の係止部３３４ｂが回転子３１２の円錐台部３２４ｂに当接する位置と、ノック部材３１６の突部３３２ｂ１、３３２ｂ２、３３２ｂ３が回転子３１２のカム突部３２６ａと当接する位置との間で、軸方向に相対移動可能になっている。すなわち、回転子３１２の基部３２１がノック部材３１６により保持されるとともに、回転側カム部３２６ｂが、本体側カム部３３２ｂに対して相対的に移動することができる。
【０１３６】
そして、内筒３１０の本体部３１０ａ及びカム部３１０ｂが軸筒３０２の後端開口３０２ｂ内に収容され、軸筒３０２の螺合部と内筒３１０の螺合部３１０ｅとが螺合することにより、内筒３１０が軸筒３０２の後端部に取り付けられている。
【０１３７】
また、リフィル部材３０４の後端部は、回転子３１２の円環状の保持部３３０内に挿入され、円環部３２６の前面に当接している。これにより、リフィル部材３０４は回転子３１２により繰出及び引き戻し可能に保持されている。
【０１３８】
また、スプリング部材３１４は、リフィル部材３０４と軸筒３０２との間に配置されている。スプリング部材３１４は収縮した状態で、軸筒３０２の段部３０２ｄと、回転子３１２の保持部３３０との間に挟み込まれている。これにより、回転子３１２はスプリング部材３１４により後方に向かって付勢されている。
【０１３９】
本実施形態のノック式筆記具の出没機構は、第１実施形態と同様の構成である。すなわち、スプリング部材３１４の付勢力に抗しながらノック部材３１６を押圧することにより、回転子３１２が前方に移動するとともに、内筒３１０に対して回転する。これにより、回転子３１２のカム柱３２８が内筒３１０の第１の切欠部３１８に収容された状態と、第２の切欠部３２０に収容された状態と、を切り替えることができる。これにより、回転子３１２に保持されたリフィル部材３０４の筆先部３０４ｂが軸筒３０２内に収容された状態（筆先収容状態）と、リフィル部材３０４の筆先部３０４ｂが軸筒３０２の先端開口３０２ａから突出した状態（筆先進出状態）とを切り替えることができる。
【０１４０】
図６７ａ〜図６７ｃは、図６１に示すノック式筆記具のクリップ部材を示し、図６７ａは斜視図、図６７ｂは正面図、図６７ｃは側面図である。図６７ａ〜図６７ｃに示すように、クリップ部材３０８は、接続部３０８ａと、接続部３０８ａから前方に軸方向に延びる本体部３０８ｂとを備える。接続部３０８ａは、軸方向に延びる基部３０８ａ１と、基部３０８ａ１の先端から半径方向内側に延びる先端部３０８ａ２とを備える。接続部３０８ａには先端部３０８ａ２から基部３０８ａ１まで延びる切欠部３０８ｃが形成されている。
また、基部３０８ａ１における切欠部３０８ｃの径方向外方の両縁には、切欠部３０８ｃの中心に向かって突出する側縁部３０８ｄが形成されている。
【０１４１】
次に、クリップ部材３０８と軸筒３０２の接続機構について説明する。
内筒３１０の螺合部３１０ｅを、軸筒３０２の螺合部３０２ｃに螺合させると、クリップ保持部３１０ｄの突部３１０ｄ５が軸筒２の切欠部３０２ｅに入り込み係止される。この状態で、クリップ部材３０８の切欠部３０８ｃに内筒３１０の第１の保持部３１０ｄ３の基部３１０ｄ３ａが挿入されており、切欠部３０８ｃに保持部３１０ｄが嵌合している。これにより、クリップ部材３０８の側縁部３０８ｄがクリップ保持部３１０ｄの本体部３１０ｄ２と拡幅部３１０ｄ３ｂとの間に挟み込まれる。さらに、図６２ａに示すように、クリップ部材３０８の先端部３０８ａ２が、内筒３１０の接続部３１０ｄ１と軸筒３０２に前後から挟み込まれる。これにより、クリップ部材３０８は軸筒３０２の側方に位置するように軸筒３０２に対して固定接続されている。
【０１４２】
なお、クリップ部材３０８は、出没機構３０６を軸筒３０２に取り付ける前に、予め出没機構３０６の内筒３１０に取り付けておき、出没機構３０６の内筒３１０の螺合部３１０ｅを、軸筒３０２の螺合部３０２ｃに螺合させることにより、クリップ部材３０８を出没機構６とともに軸筒３０２に取り付けることができる。また、これとは逆に、内筒３１０を軸筒３０２から取り外し、クリップ部材３０８を内筒３１０から取り外すことにより、クリップ部材３０８を軸筒３０２から取り外すことができる。
【０１４３】
なお、本実施形態では、クリップ部材３０８に切欠部３０８ｃを設け、内筒３１０に第１の保持部３１０ｄ３を設け、切欠部３０８ｃに第１の保持部３１０ｄ３が嵌合することにより、クリップ部材３０８を内筒３１０に固定しているが、これに限らず、クリップ部材に表面から突出して軸方向に延びる保持部を設け、内筒のクリップ保持部に軸方向に延びる切込部を設け、保持部を切込部に嵌合させて固定してもよい。
【０１４４】
以上説明したように、本実施形態によれば、第１実施形態で奏された効果に加えて以下の効果が奏される。
本実施形態では、内筒３１０のクリップ保持部３１０ｄに形成された第１の保持部３１０ｄ３に、クリップ部材３０８の切欠部３０８ｃを嵌合させることにより、クリップ部材３０８を着脱可能に筆記具本体に取り付けることができる。
そして、かかる構成の本実施形態によれば、軸筒３０２の後端の外周部に突部が形成されていないため、軸筒３０２の外面に容易に印刷等の加工を行うことができる。
なお、本実施形態のクリップの保持機構は、他の実施形態においても採用することができる。
【０１４５】
＜第６実施形態＞
以下、本発明の第６実施形態による筆記具を、図面を参照しながら詳細に説明する。
図６８は、本発明の第６実施形態による筆記具を示す軸方向断面図である。
図６８に示すように、本実施形態のノック式筆記具４０１は、円筒状の軸筒４０２と、軸筒４０２内に収容されたリフィル部材４０４と、軸筒４０２の後端部に設けられた出没機構４０６と、出没機構４０６に接続されたクリップ部材４０８と、を備える。軸筒４０２と、リフィル部材４０４と、出没機構４０６と、により筆記具本体が構成される。
【０１４６】
軸筒４０２は先端部が先細り状である円筒形状に形成されている。軸筒４０２は先端部が先細り状である円筒形状に形成されている。軸筒４０２の先端部には先端開口４０２ａが形成されており、後端部には後端開口４０２ｂが形成されている。軸筒４０２の後端部の内面には螺合部が形成されている。また、軸筒４０２の中間部には段部４０２ｄが形成されており、段部４０２ｄより後端側の軸筒４０２の内径は、先端側の内径よりも大きくなっている。
【０１４７】
リフィル部材４０４は、インクが収容されたインク収容部４０４ａと、インク収容部４０４ａの先端側に接続された筆先部４０４ｂとを備える。インク収容部４０４ａには、水性又は油性のインクが収容されている。インク収容部４０４ａに収容されたインクは、筆先部４０４ｂに供給される。筆先部４０４ｂの先端の転写ボールを紙面に当接させることにより、インクが紙面に転写される。
【０１４８】
図６９ａ〜図６９ｄは、図６８に示すノック式筆記具の出没機構を示し、図６９ａは斜視図、図６９ｂは側面図、図６９ｃは背面図、図６９ｄは軸方向に沿った断面図である。なお、図６９ａ〜図６９ｄでは、スプリング部材については図示を省略している。図６８及び図６８ａ〜図６９ｄに示すように、出没機構４０６は、内筒４１０と、回転子４１２と、スプリング部材４１４と、ノック部材４１６とを備える。
【０１４９】
図７０ａ〜ｄは、図６８に示すノック式筆記具の内筒を示し、図７０ａは斜視図、図７０ｂは上面図、図７０ｃは側面図、図７０ｄは軸方向に沿った断面図である。図７０ａ〜図７０ｄに示すように、内筒４１０は、円筒状の本体部４１０ａと、本体部４１０ａから先端側に延びるカム部４１０ｂと、本体部４１０ａの後端側に接続された後端部４１０ｃと、後端部４１０ｃから側方に延びるクリップ保持部４１０ｄとを備える。これら、本体部４１０ａと、カム部４１０ｂと、後端部４１０ｃと、クリップ保持部４１０ｄとは一体に成形されている。
【０１５０】
本体部４１０ａは円筒状であり、本体部４１０ａの外径は軸筒４０２の内径と略等しくなっている。本体部４１０ａの外周面には螺合部４１０ｅが形成されている。また、本体部４１０ａの内周面には、対向する位置に１８０度の角度間隔で、軸方向に延びる軸方向突部４１０ｆが形成されている。
【０１５１】
カム部４１０ｂは略円筒状であり、その内径及び外径は本体部４１０ａの内径及び外径と等しくなっている。カム部４１０ｂには、周方向に等角度（９０度）間隔で第１の切欠部４１８と、第２の切欠部４２０とが交互に形成されている。第１の切欠部４１８は、先端縁から軸方向後方に延びる軸方向溝部４１８ａと、軸方向溝部４１８ａに時計回り（図７０ｃの右方向）に連続して形成された案内部４１８ｂとを有する。軸方向溝部４１８ａは、一定の周方向幅で軸方向に延びる溝であり、第２の切欠部４２０よりも後方へ延びている。案内部４１８ｂは、周面で見て、時計回りに切込深さ（内筒の先端縁からの距離）が小さくなるような三角形状に形成されている。第２の切欠部４２０は、周面で見て、時計回りに切込深さが小さくなるような三角形状に形成されている。第２の切欠部４２０の最大切込深さは、第１の切欠部４１８の軸方向溝部４１８ａの切込深さよりも小さく、案内部４１８ｂの最大切込深さよりも大きくなっている。第２の切欠部４２０の反時計回り（図７０ｃの左方向）端部の位置は、隣接する第１の切欠部４１８の案内部４１８ｂの時計回り端部の位置と一致している。また、第２の切欠部４２０の時計回り端部の位置は、隣接する第１の切欠部４１８の軸方向溝部４１８ａの反時計回り端部の位置と一致している。
【０１５２】
後端部４１０ｃは、外径が軸筒４０２の外径よりもわずかに小さい円筒状に形成されている。
クリップ保持部４１０ｄは、後端部４１０ｃから半径方向外方に延びており、軸方向に延びる開口４１０ｄ１が形成されている。
【０１５３】
図７１ａ〜図７１ｄは、図６８に示すノック式筆記具の回転子を示し、図７１ａは斜視図、図７１ｂは正面図、図７１ｃは上面図、図７１ｄは図７１ｂにおけるｄ−ｄ断面図である。図７１ａ〜図７１ｄに示すように、回転子４１２は、円筒状の基部４２１と、基部４２１から前方に延びる４本のカム柱４２８と、カム柱４２８の前端に接続された保持部４３０と、を有する。
基部４２１は、円筒状の本体部４２２と、本体部４２２の後端側に接続された後端部４２４と、本体部４２２の先端側に接続された円環状の円環部４２６と、を有する。
【０１５４】
本体部４２２は、円筒状に形成されており、外径が、後述するノック部材４１６の前部の内径よりもわずかに小さくなっている。本体部４２２の後端部には後方に向かって縮径する縮径部４２２ａを有する。
【０１５５】
後端部４２４は、本体部４２２の後端に連続する円柱部４２４ａと、円柱部４２４ａの後端に連続する円錐台状（截頭円錐体状）の円錐台部４２４ｂと、円錐台部４２４ｂの後端に連続する第１の表示部４２４ｃとを有する。円柱部４２４ａは、軸方向に同一な円形断面形状である。
円柱部４２４ａの外径は、ノック部材４１６の後部４３６の内径よりもわずかに小さくなっている。円錐台部４２４ｂは、先端側の径が大きい円錐台形状である。円錐台部４２４ｂの後端の径は、円柱部４２４ａ及び第１の表示部４２４ｃの径と略等しくなっている。第１の表示部４２４ｃは、円錐台部４２４ｂの後端から後方に延びる円柱状の部位である。第１の表示部４２４ｃには軸方向に延びる複数の溝４２４ｄが形成されている。これら溝４２４ｄの幅及び深さは、溝４２４ｄにインクが毛細管現象により吸引されるように、インクの密度や粘性を考慮して決められており、幅が０．０５ｍｍ〜２ｍｍであり、深さが０．０５ｍｍ〜２ｍｍである。各溝４２４ｄには、リフィル部材４０４のインク収容部４０４ａに収容されたインクと同じインクが乾燥した状態で保持されている。
【０１５６】
円環部４２６は、本体部４２２の前端部に接続されており、円環状に形成されている。円環部４２６の外径は本体部４２２の外径よりも大きく、保持部４３０の外径よりも小さくなっており、カム柱４２８の内径と略等しくなって。円環部４２６の後方の表面には回転側カム部４２６ｂが形成されている。回転側カム部４２６ｂは、周方向に９０度間隔で形成された４つのカム突部４２６ａを含む。カム突部４２６ａは、周方向に中心から側方に向かって突出高さ（後方への長さ）が減るような二等辺三角形状になっている。
【０１５７】
カム柱４２８は、軸方向に垂直な面で円弧状の断面形状を有し、基部４２１の円環部４２６の径方向外周面に接続され、前方に向かって延びている。カム柱４２８は、周方向に９０度間隔で取り付けられている。カム柱４２８は、円環部４２６に形成されたカム突部４２６ａの半分の周方向幅を有する。各カム柱４２８は、円環部４２６のカム突部４２６ａの図７１ｂの右半部の外面に接続されている。カム柱４２８の後端面は、円環部４２６のカム突部４２６ａの時計回り方向の半部の後端面と面一になっている。すなわち、カム柱４２８の後端面４２８ａは、時計回りに後方への突出高さが低くなるような傾斜部に形成されている。
【０１５８】
保持部４３０は円環状に形成されている。保持部４３０の内径及び外径はカム柱４２８の内径及び外径と略等しくなっている。
スプリング部材４１４は、らせん状の金属部材からなるばね部材である。
【０１５９】
図７２ａ〜図７２ｃは、図６８に示すノック式筆記具のノック部材を示し、図７２ａは斜視図、図７２ｂは正面図、図７２ｃは軸方向に沿った断面図である。
ノック部材４１６は、透明又は半透明とした視認可能な樹脂により形成されている。ノック部材４１６は、前部４３２と、前部４３２の後方に連続する中間部４３４と、中間部４３４の後方に連続する後部４３６とを有する。
【０１６０】
前部４３２は、少なくとも前方に開口する円柱状の内部空間が形成され、一対の円弧状断面の壁面により形成されている。前部４３２の外径は、内筒４１０の本体部４１０ａの内径よりもわずかに小さい。また、前部４３２の内径は、ノック部材４１６の本体部４２２の外径よりもわずかに大きい。前部４３２には、軸方向に延び前方に開口し、後方に所定の長さ延びる一対の軸方向溝部４３２ａが、周方向に１８０度の間隔で形成されている。また、前部４３２の前端部の端面には、本体側カム部４３２ｂが形成されている。本体側カム部４３２ｂは、一対の軸方向溝部４３２ａの間に形成された、それぞれ周方向に並ぶ３つの三角形状の突部４３２ｂ１、４３２ｂ２、４３２ｂ３を含む。後述するように、ノック部材４１６の本体側カム部４３２ｂと、回転子４１２の回転側カム部４２６ｂとにより、ノック部材４１６を押し込んだ際に回転子４１２が所定の角度だけ回転される。
【０１６１】
中間部４３４は円環状に形成されており、内面に円環状に突出する係止部４３４ｂが形成されている。係止部４３４ｂの前部は、好ましくは、図７２ｃに示すように、後方に向かって縮径するような傾斜部が形成されていることが好ましい。後部４３６は円筒状に形成されている。
【０１６２】
図７３ａ〜図７３ｃは、図６８に示すノック式筆記具のクリップ部材を示し、図７３ａは半径方向外方から見た斜視図、図７３ｂは半径方向内方から見た斜視図、図７３ｃは半径方向内方から見た側面図である。クリップ部材４０８は、透明又は半透明とした視認可能の樹脂により形成されている。図７３ａ〜図７３ｃに示すように、クリップ部材４０８は、接続部４０８ａと、接続部４０８ａから前方に延びる本体部８ｂとを備える。接続部４０８ａの断面形状は、内筒４１０の開口４１０ｄ１と同形状である。図６８に示すように、クリップ部材４０８の接続部４０８ａが内筒４１０の開口４１０ｄ１に挿入されることにより、クリップ部材４０８は軸筒４０２の側方に位置するように内筒４１０に固定されている。
【０１６３】
クリップ部材４０８の本体部４０８ｂの内面（軸筒２側の面）には、第２の表示部４０８ｃが設けられている。第２の表示部４０８ｃは、「ＨＥＬＬＯ」の文字を左右反転させた形状の溝からなる文字溝部４０８ｄ１と、文字溝部４０８ｄ１の各文字の下部を結ぶ溝からなる接続溝部４０８ｄ２と、接続溝部４０８ｄ２の端部に設けられた略円形の溜部４０８ｄ３とからなる。これら文字溝部４０８ｄ１と、接続溝部４０８ｄ２との幅及び深さは、これら溝部４０８ｄ１及び接続溝部４０８ｄ２にインクが毛細管現象により吸引されるように、インクの密度や粘性を考慮して決められており、幅が０．０５ｍｍ〜２ｍｍであり、深さが０．０５ｍｍ〜２ｍｍである。である。各溝部４０８ｄ１、４０８ｄ２には、リフィル部材４０４のインク収容部４０４ａに収容されたインクと同じインクが乾燥した状態で保持されている。
【０１６４】
図６９に示すように、ノック部材４１６は、ノック部材４１６の軸方向溝部４３２ａ内に内筒４１０の軸方向突部４１０ｆが位置するように、後方から内筒４１０内に挿入されている。また、回転子４１２は、基部４２１に形成された円錐台部４２４ｂがノック部材４１６の係止部４３４ｂを超える位置まで、ノック部材４１６内に前方から挿入されている。内筒４１０のカム部４１０ｂと回転子４１２のカム柱４２８とは軸筒４０２の内面に沿っており、同円上に位置している。
【０１６５】
このような構成により、ノック部材４１６は、内筒４１０に対して回転が拘束されるとともに、内筒４１０に対して軸方向に相対移動可能である。また、回転子４１２はノック部材４１６に対して回転可能であるとともに、ノック部材４１６の係止部４３４ｂが回転子４１２の円錐台部４２４ｂに当接する位置と、ノック部材４１６の本体側カム部４３２ｂが回転子４１２のカム突部４２６ａと当接する位置との間で、軸方向に相対移動可能になっている。
【０１６６】
そして、内筒４１０の本体部４１０ａ及びカム部４１０ｂが軸筒４０２の後端開口４０２ｂ内に収容され、軸筒４０２の螺合部と内筒４１０の螺合部４１０ｅとが螺合することにより、内筒４１０が軸筒４０２の後端部に取り付けられている。
【０１６７】
また、リフィル部材４０４の後端部は、回転子４１２の円環状の保持部４３０内に挿入され、円環部４２６の前面に当接している。これにより、リフィル部材４０４は回転子４１２により繰出及び引き戻し可能に保持されている。
【０１６８】
また、スプリング部材４１４は、リフィル部材４０４と軸筒４０２との間に配置されている。スプリング部材４１４は収縮した状態で、軸筒４０２の段部４０２ｄと、回転子４１２の保持部４３０との間に挟み込まれている。これにより、回転子４１２はスプリング部材４１４により後方に向かって付勢されている。
【０１６９】
本実施形態のノック式筆記具の出没機構は、使用者がスプリング部材４１４の付勢力に抗しながらノック部材４１６を押圧することにより、回転子４１２が前方に移動した後、内筒４１０に対して回転する。このように回転子４１２が回転することにより、回転子４１２のカム柱４２８が内筒４１０の第１の切欠部４１８に収容された状態と、第２の切欠部４２０に収容された状態と、を切り替えることができる。これにより、回転子４１２に保持されたリフィル部材４０４の筆先部４０４ｂが軸筒４０２内に収容された状態（筆先収容状態）と、リフィル部材４０４の筆先部４０４ｂが軸筒２の先端開口４０２ａから突出した状態（筆先進出状態）とを切り替えることができる。
【０１７０】
図７４は、図６８に示すノック式筆記具の後端部を示す斜視図である。図７４に示すように、クリップ部材４０８は無色透明の樹脂で形成されているため、クリップ部材４０８に形成された第２の表示部４０８ｃは半径方向外方から視認可能である。また、ノック部材４１６が透明又は半透明とした視認可能な樹脂で形成されているため、回転子４１２の第１の表示部４２４ｃはノック部材４１６を通して視認可能である。
【０１７１】
第１の表示部は以下のようにして形成することができる。
まず、回転子４１２を成形する際に、第１の表示部４２４ｃに相当する部分に溝４２４ｄを形成しておく。次に、第１の表示部４２４ｃの溝４２４ｄにリフィル部材４０４のインク収容部４０４ａに収容されたインクを滴下する。滴下されたインクは、毛細管現象により溝４２４ｄに引き込まれて溝４２４ｄの全体に広がり、溝４２４ｄ内に保持される。そして、溝４２４ｄ内のインクが乾燥することにより形成することができる。
【０１７２】
また、第２の表示部４０８ｃは以下のようにして形成することができる。
まず、クリップ部材４０８を成形する際に、クリップ部材４０８の内面に文字溝部４０８ｄ１と、接続溝部４０８ｄ２と、溜部４０８ｄ３とを形成しておく。なお、これら文字溝部４０８ｄ１と、接続溝部４０８ｄ２と、溜部４０８ｄ３とは、クリップ部材４０８を成形した後に切削してもよい。
【０１７３】
次に、溜部４０８ｄ３にインクを滴下する。滴下されたインクは、毛細管現象により接続溝部４０８ｄ２に引き込まれ、接続溝部４０８ｄ２を介して文字溝部４０８ｄ１全体に広がり、文字溝部４０８ｄ１内に保持される。そして、文字溝部４０８ｄ１内のインクが乾燥することにより形成することができる。
【０１７４】
第６実施形態によれば第１実施形態に加えて以下の効果が奏される。
第６実施形態によれば、第１及び第２の表示部４０８ｃ、４２４ｃがリフィル部材４０４以外の外部から視認可能な位置に設けられているため、外部からの視認性が高い。また、第１及び第２の表示部４０８ｃ、４２４ｃは溝部４０８ｄ１、４２４ｄにインクが毛細管現象により引き込まれて保持されることにより形成されているため、印刷を行うことなく第１及び第２の表示部４０８ｃ、４２４ｃを形成することができ、組み立て時に第１及び第２の表示部４０８ｃ、４２４ｃを形成することができる。
【０１７５】
また、第６実施形態によれば、第１及び第２の表示部４０８ｃ、４２４ｃの溝部４０８ｄ１、４２４ｄに、インク収容部４０４ａに収容されたインクと同色のインクが保持されている。
ボールペンにはインクの色を表示する表示部が設けられる。これに対して、印刷により表示部を形成する場合には、予め多色の表示部を印刷した部材を準備する必要があり、在庫管理に手間がかかる。これに対して、第１実施形態によれば、組み立て時にインクを溝部４０８ｄ１、４２４ｄに滴下して第１及び第２の表示部４０８ｃ、４２４ｃを製造することができ、これにより、インクの色が多様であっても、在庫を減らすことができる。
【０１７６】
また、第６実施形態によれば、第１の表示部４２４ｃを構成するクリップ部材４０８は透明である。
上記構成の本発明によれば、第１の表示部４２４ｃを幅広い角度から視認することができ、表示部の視認性が向上する。
【０１７７】
また、第６実施形態によれば、筆記具４０１は、リフィル部材４０４を収容する軸筒４０２と、軸筒４０２に沿って伸びるクリップ部材４０８と、を備え、第２の表示部４０８ｃはクリップ部材４０８に形成されており、溝部４０８ｄ１はクリップ部材４０８の内側の面に形成されている。このような構成の本実施形態によれば、クリップ部材４０８の内面に形成した溝部４０８ｄ１を外部から視認することができる。
【０１７８】
また、第６実施形態では、筆記具４０１は、筆先の出没を操作する透明なノック部材４１６と、ノック部材４１６に後端が包囲され、リフィル部材４０４を進退させる回転子４１２とを備え、第１の表示部４２４ｃは、回転子４１２の後端に形成されている。
これにより、ノック部材４１６を通して回転子４１２の後端の第１の表示部４２４ｃを視認することができ、広い角度から第１の表示部４２４ｃを視認することができる。
【０１７９】
なお、本実施形態では、第１の表示部４２４ｃを回転子４１２に、第２の表示部４０８ｃをクリップ部材４０８に形成したが、本発明はこれに限られない。表示部は、リフィル部材４０４のインク収容部以外の外部から視認可能な位置に設ければよい。
なお、本実施形態の表示部の構成は、他の実施形態においても採用することができる。
【符号の説明】
【０１８０】
１          ノック式筆記具
２          軸筒
２ａ        先端開口
２ｂ        後端開口
２ｃ        螺合部
２ｄ        段部
４          リフィル部材
４ａ        インク収容部
４ｂ        筆先部
６          出没機構
８          クリップ部材
８ａ        接続部
８ｂ        本体部
８ｃ        切欠部
８ｄ        突出部
１０        内筒
１０ａ      本体部
１０ｂ      カム部
１０ｃ      後端部
１０ｄ      クリップ保持部
１０ｄ１    接続部
１０ｄ２    本体部
１０ｄ３    保持部
１０ｅ      螺合部
１０ｆ      軸方向突部
１２        回転子
１４        スプリング部材
１６        ノック部材
１８        第１の切欠部
１８ａ      軸方向溝部
１８ｂ      案内部
２０        第２の切欠部
２０ａ      傾斜部
２０ｂ      縁部
２１        基部
２２        本体部
２２ａ      縮径部
２４        後端部
２４ａ      円柱部
２４ｂ      円錐台部
２４ｃ      表示部
２６        円環部
２６ａ      カム突部
２６ｂ      回転側カム部
２８        カム柱
２８ａ      後端面
２８ｂ      縁
３０        保持部
３２        前部
３２ａ      軸方向溝部
３２ｂ      本体側カム部
３２ｂ１    左側突部
３２ｂ２    中央突部
３２ｂ３    右側突部
３４        中間部
３４ｂ      係止部
３６        後部
１０１      ノック式筆記具
１０２      軸筒
１０２ａ    先端開口
１０２ｂ    後端開口
１０２ｃ    螺合部
１０６      出没機構
１０８      クリップ部材
１０８ａ    接続部
１０８ａ１  中間凸部
１０８ａ２  軸方向凸部
１０８ｂ    本体部
１１０      内筒
１１０ａ    本体部
１１０ｂ    カム部
１１０ｃ    後端部
１１０ｃ１  前方大径部
１１０ｃ２  中間小径部
１１０ｃ３  後方大径部
１１０ｃ４  切欠部
１１０ｅ    螺合部
１１０ｆ    本体側カム部
１１０ｆ０  側面
１１０ｆ１  後方傾斜部
１１０ｆ２  段部
１１０ｆ３  前方傾斜部
１１０ｆ４  平坦部
１１０ｆ５  カム凸部
１１０ｇ    縮径部
１１０ｇ１  切欠部
１１２      回転子
１１４      スプリング部材
１１６      ノック部材
１１６ａ    貫通孔
１１６ｂ    係止部
１１８      第１の切欠部
１１８ａ    軸方向溝部
１１８ｂ    案内部
１２０      第２の切欠部
１２０ａ    傾斜部
１２０ｂ    縁部
１２１      基部
１２２      本体部
１２２ｂ    回転側カム部
１２２ｂ１  傾斜部
１２４      後端部
１２４ａ    環状凹部
１２４ｂ    円錐台部
１２４ｃ    円柱部
１２６      円環部
１２８      カム柱
１３０      保持部
１３２      前部
１３６      後部
１５１      ノック式筆記具
１５４      スプリング部材
２０１      ノック式筆記具
２０２      軸筒
２０２ａ    先端開口
２０２ｂ    後端開口
２０２ｃ    螺合部
２０２ｄ    本体側カム部
２０２ｆ    凸部
２０２ｆ１  傾斜部
２０２ｆ２  縁部
２０２ｆ３  周方向面部
２０６      出没機構
２０８      クリップ部材
２０８ａ    接続部
２０８ｂ    軸部
２０８ｃ    切欠部
２０８ｄ    突出部
２０８ｅ    平坦部
２１０      内筒部
２１０      内筒
２１０ａ    本体部
２１０ｂ    カム部
２１０ｃ    後端部
２１０ｄ    クリップ保持部
２１０ｄ１  接続部
２１０ｄ２  本体部
２１０ｄ３  保持部
２１０ｅ    螺合部
２１０ｇ    縮径部
２１２      回転子
２１４      スプリング部材
２１６      ノック部材
２１６ａ    貫通孔
２１６ｂ    係止部
２１８      第１の切欠部
２１８ａ    軸方向溝部
２１８ｂ    案内部
２２０      第２の切欠部
２２０ａ    傾斜部
２２０ｂ    縁部
２２１      基部
２２２      本体部
２２４      後端部
２２４ａ    中間円柱部
２２４ｂ    環状凹部
２２４ｃ    円錐台部
２２４ｄ    円柱部
２２６      円環部
２２８      カム柱
２３０      保持部
２３０ａ    回転側カム部
２３０ａ０  凸部
２３０ａ１  縁部
２３０ａ２  傾斜部
２３０ａ３  平坦部
２３２      前部
２３６      後部
３０１        ノック式筆記具
３０２        軸筒
３０２ａ      先端開口
３０２ｂ      後端開口
３０２ｃ      螺合部
３０２ｄ      段部
３０２ｅ      切欠部
３０２ｆ      貫通孔
３０４        リフィル部材
３０４ｂ      筆先部
３０６        出没機構
３０８        クリップ部材
３０８ａ      接続部
３０８ａ１    基部
３０８ａ２    先端部
３０８ｂ      本体部
３０８ｃ      切欠部
３０８ｄ      側縁部
３１０        内筒
３１０ａ      本体部
３１０ｂ      カム部
３１０ｃ      後端部
３１０ｄ      クリップ保持部
３１０ｄ１    接続部
３１０ｄ２    本体部
３１０ｄ３    第１の保持部
３１０ｄ３ａ  基部
３１０ｄ３ｂ  拡幅部
３１０ｄ４    第２の保持部
３１０ｄ５    突部
３１０ｅ      螺合部
３１０ｆ      軸方向突部
３１２        回転子
３１４        スプリング部材
３１６        ノック部材
３１８        第１の切欠部
３１８ａ      軸方向溝部
３１８ｂ      案内部
３２０        第２の切欠部
３２１        基部
３２２        本体部
３２２ａ      縮径部
３２４        後端部
３２４ａ      円柱部
３２４ｂ      円錐台部
３２４ｃ      表示部
３２６        円環部
３２６ａ      カム突部
３２６ｂ      回転側カム部
３２８        カム柱
３３０        保持部
３３２        前部
３３２ａ      軸方向溝部
３３２ｂ      本体側カム部
３３２ｂ１    突部
３３２ｂ２    突部
３３２ｂ３    突部
３３４        中間部
３３４ｂ      係止部
３３６        後部
４０１        ノック式筆記具
４０２        軸筒
４０２ａ      先端開口
４０２ｂ      後端開口
４０２ｄ      段部
４０４        リフィル部材
４０４ａ      インク収容部
４０４ｂ      筆先部
４０６        出没機構
４０８        クリップ部材
４０８ａ      接続部
４０８ｂ      本体部
４０８ｃ      第２の表示部
４０８ｄ１    文字溝部
４０８ｄ２    接続溝部
４０８ｄ３    溜部
４１０        内筒
４１０ａ      本体部
４１０ｂ      カム部
４１０ｃ      後端部
４１０ｄ      クリップ保持部
４１０ｄ１    開口
４１０ｅ      螺合部
４１０ｆ      軸方向突部
４１２        回転子
４１４        スプリング部材
４１６        ノック部材
４１８        第１の切欠部
４１８ａ      軸方向溝部
４１８ｂ      案内部
４２０        第２の切欠部
４２１        基部
４２２        本体部
４２２ａ      縮径部
４２４        後端部
４２４ａ      円柱部
４２４ｂ      円錐台部
４２４ｃ      第１の表示部
４２４ｄ      溝
４２４ｄ      溝部
４２６        円環部
４２６ａ      カム突部
４２６ｂ      回転側カム部
４２８        カム柱
４２８ａ      後端面
４３０        保持部
４３２        前部
４３２ａ      軸方向溝部
４３２ｂ      本体側カム部
４３２ｂ１    突部
４３２ｂ２    突部
４３２ｂ３    突部
４３４        中間部
４３４ｂ      係止部
４３６        後部
【図１】
2019155908.tif 000003
【図２】
2019155908.tif 000004
【図３】
2019155908.tif 000005
【図４ａ】
2019155908.tif 000006
【図４ｂ】
2019155908.tif 000007
【図４ｃ】
2019155908.tif 000008
【図４ｄ】
2019155908.tif 000009
【図４ｅ】
2019155908.tif 000010
【図５ａ】
2019155908.tif 000011
【図５ｂ】
2019155908.tif 000012
【図５ｃ】
2019155908.tif 000013
【図５ｄ】
2019155908.tif 000014
【図６ａ】
2019155908.tif 000015
【図６ｂ】
2019155908.tif 000016
【図６ｃ】
2019155908.tif 000017
【図６ｄ】
2019155908.tif 000018
【図７ａ】
2019155908.tif 000019
【図７ｂ】
2019155908.tif 000020
【図８ａ】
2019155908.tif 000021
【図８ｂ】
2019155908.tif 000022
【図９ａ】
2019155908.tif 000023
【図９ｂ】
2019155908.tif 000024
【図１０】
2019155908.tif 000025
【図１１】
2019155908.tif 000026
【図１２】
2019155908.tif 000027
【図１３】
2019155908.tif 000028
【図１４】
2019155908.tif 000029
【図１５】
2019155908.tif 000030
【図１６】
2019155908.tif 000031
【図１７】
2019155908.tif 000032
【図１８】
2019155908.tif 000033
【図１９】
2019155908.tif 000034
【図２０】
2019155908.tif 000035
【図２１】
2019155908.tif 000036
【図２２ａ】
2019155908.tif 000037
【図２２ｂ】
2019155908.tif 000038
【図２２ｃ】
2019155908.tif 000039
【図２２ｄ】
2019155908.tif 000040
【図２２ｅ】
2019155908.tif 000041
【図２３ａ】
2019155908.tif 000042
【図２３ｂ】
2019155908.tif 000043
【図２４ａ】
2019155908.tif 000044
【図２４ｂ】
2019155908.tif 000045
【図２４ｃ】
2019155908.tif 000046
【図２５ａ】
2019155908.tif 000047
【図２５ｂ】
2019155908.tif 000048
【図２６ａ】
2019155908.tif 000049
【図２６ｂ】
2019155908.tif 000050
【図２７ａ】
2019155908.tif 000051
【図２７ｂ】
2019155908.tif 000052
【図２８】
2019155908.tif 000053
【図２９】
2019155908.tif 000054
【図３０】
2019155908.tif 000055
【図３１】
2019155908.tif 000056
【図３２】
2019155908.tif 000057
【図３３】
2019155908.tif 000058
【図３４】
2019155908.tif 000059
【図３５】
2019155908.tif 000060
【図３６】
2019155908.tif 000061
【図３７】
2019155908.tif 000062
【図３８】
2019155908.tif 000063
【図３９】
2019155908.tif 000064
【図４０】
2019155908.tif 000065
【図４１】
2019155908.tif 000066
【図４２】
2019155908.tif 000067
【図４３】
2019155908.tif 000068
【図４４】
2019155908.tif 000069
【図４５ａ】
2019155908.tif 000070
【図４５ｂ】
2019155908.tif 000071
【図４６ａ】
2019155908.tif 000072
【図４６ｂ】
2019155908.tif 000073
【図４６ｃ】
2019155908.tif 000074
【図４６ｄ】
2019155908.tif 000075
【図４７ａ】
2019155908.tif 000076
【図４７ｂ】
2019155908.tif 000077
【図４７ｃ】
2019155908.tif 000078
【図４８ａ】
2019155908.tif 000079
【図４８ｂ】
2019155908.tif 000080
【図４８ｃ】
2019155908.tif 000081
【図４９ａ】
2019155908.tif 000082
【図４９ｂ】
2019155908.tif 000083
【図５０】
2019155908.tif 000084
【図５１】
2019155908.tif 000085
【図５２】
2019155908.tif 000086
【図５３】
2019155908.tif 000087
【図５４】
2019155908.tif 000088
【図５５】
2019155908.tif 000089
【図５６】
2019155908.tif 000090
【図５７】
2019155908.tif 000091
【図５８】
2019155908.tif 000092
【図５９】
2019155908.tif 000093
【図６０】
2019155908.tif 000094
【図６１】
2019155908.tif 000095
【図６２ａ】
2019155908.tif 000096
【図６２ｂ】
2019155908.tif 000097
【図６３ａ】
2019155908.tif 000098
【図６３ｂ】
2019155908.tif 000099
【図６４ａ】
2019155908.tif 000100
【図６４ｂ】
2019155908.tif 000101
【図６４ｃ】
2019155908.tif 000102
【図６４ｄ】
2019155908.tif 000103
【図６５ａ】
2019155908.tif 000104
【図６５ｂ】
2019155908.tif 000105
【図６６ａ】
2019155908.tif 000106
【図６６ｂ】
2019155908.tif 000107
【図６６ｃ】
2019155908.tif 000108
【図６７ａ】
2019155908.tif 000109
【図６７ｂ】
2019155908.tif 000110
【図６７ｃ】
2019155908.tif 000111
【図６８】
2019155908.tif 000112
【図６９ａ】
2019155908.tif 000113
【図６９ｂ】
2019155908.tif 000114
【図６９ｃ】
2019155908.tif 000115
【図６９ｄ】
2019155908.tif 000116
【図７０ａ】
2019155908.tif 000117
【図７０ｂ】
2019155908.tif 000118
【図７０ｃ】
2019155908.tif 000119
【図７０ｄ】
2019155908.tif 000120
【図７１ａ】
2019155908.tif 000121
【図７１ｂ】
2019155908.tif 000122
【図７１ｃ】
2019155908.tif 000123
【図７１ｄ】
2019155908.tif 000124
【図７２ａ】
2019155908.tif 000125
【図７２ｂ】
2019155908.tif 000126
【図７２ｃ】
2019155908.tif 000127
【図７３ａ】
2019155908.tif 000128
【図７３ｂ】
2019155908.tif 000129
【図７３ｃ】
2019155908.tif 000130
【図７４】
2019155908.tif 000131